(57)【特許請求の範囲】
【請求項１】
前面に設けた供給皿に球を排出可能な球排出装置と、該球排出装置を作動させて所要数の球を排出する制御を行う球排出制御手段と、上記供給皿から供給された球を遊技盤前面に形成された遊技領域に発射する発射装置と、主に上記遊技盤に設けられた電気的遊技装置を制御する遊技制御手段と、を有する遊技機本体と、
カード挿排口に挿入されたカードに関わる制御を行うカード制御手段を有するカードユニットと、
を備えた遊技機において、
上記遊技機本体の球排出制御手段と上記カードユニットのカード制御手段とを送受信可能な状態で接続して構成し、
上記遊技盤には複数の入賞口を設けると共に、各入賞口に入賞した球を夫々検出する検出器を各入賞口毎に設け、
上記遊技制御手段は、各入賞口毎の検出器からの入賞信号に基づき、夫々の入賞口に対応した賞球数に関する賞球信号を送出し、
上記カードユニットのカード制御手段は、カードに記憶された有価データを所定数の球に変換する変換要求に基づく球貸信号を送出し、
上記遊技機本体の球排出制御手段は、
上記遊技制御手段から受けた賞球信号に基づいて、上記球排出装置より所定数の球を排出させる賞球排出制御手段と、
上記カード制御手段から受けた球貸信号に基づいて、上記球排出装置より所定数の球を排出させる貸球排出制御手段と、
上記カード制御手段と球排出制御手段が送受信可能な状態で接続されているか否かを監視する接続監視手段と、
上記接続監視手段によりカード制御手段と球排出制御手段とが送受信可能な状態で接続されていないと判定されたことに基づいて、上記発射装置を発射不能状態にする発射停止手段と、
を備えるものとしたことを特徴とする遊技機。
【発明の詳細な説明】
【０００１】
【発明の属する技術分野】
本発明は、前面に設けた供給皿に球を排出可能な球排出装置と、該球排出装置を作動させて所要数の球を排出する制御を行う球排出制御手段と、上記供給皿から供給された球を遊技盤前面に形成された遊技領域に発射する発射装置と、主に上記遊技盤に設けられた電気的遊技装置を制御する遊技制御手段と、を有する遊技機本体と、カード挿排口に挿入されたカードに関わる制御を行うカード制御手段を有するカードユニットと、を備えた遊技機に関する。
【０００２】
【従来の技術】
パチンコ機に代表される弾球遊技の可能な遊技機においては、遊技店内に設置されている球貸機へ貨幣を投入して貸球を借り受け、それを遊技機の供給皿へ移して遊技を行うものが主流であったが、近来は、貨幣の代わりにプリペイドカードを用いて球を借り受けることが可能な遊技機もある。
なお、上記のようなプリペイドカードを用いた遊技球を貸し出すシステムを遊技店が導入するためには、莫大な資金を投資してカード設備システムを購入しなければならない上に、使い捨てとなるプリペイドカード用のカード代金として、カード１枚当り約１５円程度がかかることとなり、現金による球貸システムに比べると、かなり多額のランニングコストが掛かってしまう。
このため、プリペイドカードで遊技球を貸し出すシステムに対応したカード式遊技機においては、既存の球貸機能のない遊技機よりも射幸性の高い遊技内容を採用することが認められている。すなわち、射幸性の高い遊技内容の遊技機は、多くの遊技者に好まれる傾向があり、また、遊技店側としても利益を確保し易いからである。
また、従来の遊技機では、遊技盤の遊技領域に設けた各種入賞口への入賞に基づく賞球を排出するために、各入賞口へ入賞した入賞球を集めて一つの入賞球センサによって検出し、この入賞球センサの検出信号が球排出制御手段へ入力され、球排出制御手段が球排出装置を作動させて所要数の球を排出する制御を行うものとなっていた。なお、入賞口の種別によって排出する賞球数を異ならしめる場合には、特定の入賞口にのみ特定入賞球センサを別途設けておき、この特定入賞球センサの検出信号を受けた遊技制御手段が、特定入賞口に応じた賞球数に関する信号を球排出制御手段へ送出することで、一般入賞口への入賞に基づく賞球とは異なる数の賞球を排出するようになっている。
【０００３】
【発明が解決しようとする課題】
しかしながら、上述したような射幸性の高い遊技機を遊技店が設置するためにはカード設備関連のシステム導入に莫大な資金が必要となり、資金力に乏しい遊技店にとってはカード式遊技機の導入が困難であることから、カード設備関連のシステムを導入しないままカード式遊技機を店内に設置し、カード式遊技機のカード式球貸機能を利用せずに旧来の遊技機として稼働させるような不正使用を認めてしまうと、カード式遊技機の普及は阻害されることとなる。
また、上述した旧来の遊技機のような各入賞口への入賞球を一旦集めてから入賞球センサで全ての入賞球を一括して検出するもの（各入賞口への入賞球を直接検出しないもの）においては、不正な電波によって入賞球センサを誤動作させることにより検出信号を発生させると、偽りの検出信号に基づいて球排出制御装置が賞球排出制御を行ってしまうため、遊技店にとっては多大な損失となる。
【０００４】
そこで、本発明は、カード式の遊技機を旧来の遊技機として不正に利用することを実質的に不可能ならしめると共に、入賞球センサに誤動作を引き起こして賞球を獲得するような遊技者の不正行為を効果的に抑止できる遊技機の提供を目的とする。
【０００５】
【課題を解決するための手段】
本発明は上記に鑑み提案されたもので、請求項１に係る遊技機は、前面に設けた供給皿（例えば、球供給皿１６）に球を排出可能な球排出装置（例えば、遊技球排出装置７３）と、該球排出装置を作動させて所要数の球を排出する制御を行う球排出制御手段（例えば、遊技球排出制御装置５８）と、上記供給皿から供給された球を遊技盤（１０）前面に形成された遊技領域（例えば、遊技部９）に発射する発射装置（例えば、発射杵９７により球を弾発する打球発射装置）と、主に上記遊技盤に設けられた電気的遊技装置（例えば、特別図柄表示装置３２、変動入賞装置３３、補助変動入賞装置３４、普通図柄表示装置３５等）を制御する遊技制御手段（例えば、遊技制御装置１０１）と、を有する遊技機本体（２）と、カード挿排口（２０）に挿入されたカードに関わる制御を行うカード制御手段（例えば、球貸制御装置１５）を有するカードユニット（３）と、を備えた遊技機（１）において、上記遊技機本体の球排出制御手段と上記カードユニットのカード制御手段とを送受信可能な状態で接続して構成し、上記遊技盤には複数の入賞口（例えば、第１〜第４一般入賞口１１ａ〜１１ｅ，大入賞口３３ａ，第１〜第３特図始動口３８ａ〜３８ｃ等）を設けると共に、各入賞口に入賞した球を夫々検出する検出器（例えば、第１〜第４一般入賞球検出器４８〜５１，大入賞口入賞球検出器４５，第１〜第３特図始動検出器４１〜４３等）を各入賞口毎に設け、上記遊技制御手段は、各入賞口毎の検出器からの入賞信号に基づき、夫々の入賞口に対応した賞球数に関する賞球信号を送出し、上記カードユニットのカード制御手段は、カードに記憶された有価データを所定数の球に変換する変換要求に基づく球貸信号を送出し、上記遊技機本体の球排出制御手段は、上記遊技制御手段から受けた賞球信号に基づいて、上記球排出装置より所定数の球を排出させる賞球排出制御手段と、上記カード制御手段から受けた球貸信号に基づいて、上記球排出装置より所定数の球を排出させる貸球排出制御手段と、上記カード制御手段と球排出制御手段が送受信可能な状態で接続されているか否かを監視する接続監視手段と、上記接続監視手段によりカード制御手段と球排出制御手段とが送受信可能な状態で接続されていないと判定されたことに基づいて、上記発射装置を発射不能状態にする発射停止手段と、を備えるものとしたことを特徴とする。
【０００６】
したがって、請求項１に係る遊技機においては、遊技機本体の球排出制御手段にカードユニットのカード制御手段より球貸信号が入力されると、この球貸信号に基づいて貸球排出制御手段が球排出装置から所定数の球を排出させるので、カードユニットと遊技機本体とが協働して初めて遊技機本体の球貸動作が可能となり、カード制御手段と球排出制御手段とが送受信可能な状態で接続されているか否かを接続監視手段により監視し、カード制御手段と球排出制御手段とが送受信可能な状態で接続されていない場合、すなわち球貸動作を実行するための必要条件が満たされていない場合には、発射停止手段によって発射装置が発射不能状態にされる。
また、請求項１に係る遊技機においては、各入賞口毎に設けた検出器からの入賞信号を受けた遊技制御手段が、夫々の入賞口に対応した賞球数に関する賞球信号を球排出制御手段へ送出すると、この賞球信号に基づいて球排出制御手段の賞球排出制御手段が球排出装置から所定数の球を排出させる。
【０００７】
【発明の実施の形態】
次に、遊技媒体に小球を用いるパチンコ遊技の可能な遊技機とした本発明の実施形態につき、添付図面に基づいて詳細に説明する。
【０００８】
遊技機１は図１に示すように、遊技機本体２とカードユニット３とから構成してあり、遊技機本体２には遊技に関連した各種機能（後に詳述）を付加し、カードユニット３にはプリペイドカード（所定の金額で予め販売されるパチンコ遊技用のカードであって、通貨と等価な有価データを磁気記録部に記憶させたものをいう）の使用を可能ならしめるカード制御機能や球貸制御機能等を付加してある。
【０００９】
上記遊技機本体２は、中空箱枠状の機枠４の前面側へ額縁状の前面枠５を回動可能に設けることで構成してある。上記前面枠５に開設した窓部にはガラス枠６および前面パネル７を回動可能に設けてあり、透明なガラスが配設されるガラス枠６の後方には、ガイドレール８で囲まれた遊技領域たる遊技部９を有する遊技盤１０を配設してある。そして、上記遊技盤１０に遊技媒体たる遊技球を発射し、一般の入賞領域たる第１〜第４一般入賞口１１ａ，１１ｂ，１１ｃ，１１ｄ等を開設した入賞具に入賞することによって、賞品球としての賞球が得られるパチンコ遊技を行えるようにしてある。なお、遊技盤１０の遊技部９には、打球の流下方向に変化を与える複数の遊技釘１２…や風車１３…等を植設してあると共に、当該遊技機１の遊技状態に応じて制御される遊技装置を設けてある。また、遊技部９内を転動する間に何れの入賞領域にも入賞しなかった打球を遊技盤１０の裏面側へ導くためのアウト口１４を開設してある。
【００１０】
一方、上記ガラス枠６の下方に位置する前面パネル７には、遊技盤１０の遊技部９内に設けた何れかの入賞領域に打球が入賞することに基づく賞球や、上記カードユニット３内の球貸制御装置１５を操作することに基づく貸球を貯留する球供給皿１６を設けてあり、この球供給皿１６は発射装置の発射球待機部１７へ球を供給する供給皿として機能する。また、前面枠５の下部適所には打球発射装置を操作するための操作ハンドル１８や、上記球供給皿１６に貯留できない球を受け入れる球受皿１９等を適宜に設けてある。
【００１１】
上記カードユニット３内に収納される球貸制御装置１５は、カード挿排口２０より挿入されたプリペイドカードの有価データを読み取ると共に、例えば球供給皿１６に設けた球貸スイッチ２１を遊技客が操作することに応じて所定数の遊技球を貸し出し、貸し出した遊技球に相当する通貨を減算した値にプリペイドカードの有価データを書き換え、返却スイッチ２２を遊技客が操作するか、もしくはプリペイドカードの有価データの残数が“０”になった場合に、内部に取り込んでいたプリペイドカードをカード挿排口２０より排出するのである。すなわち、この球貸制御装置１５が、カード挿排口２０に挿入されたカードに関わる制御を行うカード制御手段として機能するのである。なお、球貸スイッチ２１が操作されることで球貸排出に供された度数分の有価データを、球貸制御装置１５のカードリード・ライタ２３が常時プリペイドカードの有価データより減算する場合に限らず、カード排出等の適宜なタイミングで、プリペイドカードの書換動作を行う構成とする場合もある。また、カード挿排口２０よりプリペイドカードが排出されると、例えばＬＥＤ等よりなるカード挿入中表示ランプ２４の点灯表示が消え、カードリード・ライタ２３がプリペイドカードを受け付けていない状態を遊技者に可視表示できるようにしてある。
【００１２】
上記球貸スイッチ２１の近傍には、数字を表示可能な表示手段（例えば７セグメント式の可変表示器を３個併設することによって３桁の数字を表示可能）たる残度数表示器２５と、当該プリペイドカードの使用に基づく球貸動作を行える状態である旨を表示するための操作スイッチ有効表示器２６とを設けてある。なお、残度数表示部２５とは別途に、プリペイドカードを球貸制御装置１５へ挿入した際の度数を表示するための度数表示器を設けるようにしておけば、遊技者が当該遊技機１においてどの程度の球を借りたかの目安となり、遊技者の便に供することができる。また、カードユニット３の適所（図１においては上部）には、プリペイドカードの使用に基づく貸球動作が可能な状態であることを表示するカード使用可能表示器２７を設けてある。
【００１３】
一方、プリペイドカードの有価データは、本来なら度数単位で消費されるものであるが、遊技店内の自動販売機等を介して飲料や煙草等と等価交換（商品価値を球数に換算して、プリペイカードで所望の商品と交換するシステム）した際には、球貸に使えない度数未満の端数が生ずる場合がある。そこで、図１に示す実施形態においては、例えば前面枠４の上部適所に端数表示器２８（例えば４桁７セグメント式可変表示器より構成）を設けると共に、該端数表示器２８にプリペイドカードの端数データを表示させる端数表示スイッチ２９をカードユニット３の適所に設けてある。なお、端数表示器２８は、プリペイドカードの端数表示データのみを表示させる構成に限らず、プリペイドカードに関した種々のデータ（例えば、カード挿入時の残高や、実際に球借りに使用した度数等のデータ）を選択的に表示できる構成としても良いし、遊技状態に応じたメッセージ（例えば、遊技機１より排出されている遊技球が賞球であるか貸球であるかの種別や、当該遊技球排出動作によって排出される球数等）を可視表示するように構成しても良い。
【００１４】
また、前面枠５の上部適所には、当該遊技機１の遊技状態に応じた表示を行う動作表示ランプ３０を設けてあり、該動作表示ランプ３０の点灯あるいは点滅状態に応じて、遊技店の従業員等は当該遊技機１の遊技状態を判断できるようにしてある。なお、遊技機１における遊技状態が予め定めた遊技完了条件を満たした場合には、当該遊技機１の動作を停止させて遊技を終了させる（所謂打ち止め）ことが慣例となっており、斯かる遊技状態を遊技者および遊技店の店員に知らせるための完了ランプ３１を例えば遊技盤１０に別途設けるようにしてある。
【００１５】
遊技機１において実際に遊技に供される遊技盤１０には、上記第１〜第４一般入賞口１１ａ〜１１ｄのほかに、種々の入賞領域と各種の電気的遊技装置が設けてある。例えば、遊技部９の略々中央には特別図柄表示装置３２を、遊技部９の下方部に変動入賞装置３３を、上記特別図柄表示装置３２の適宜下方部には補助変動入賞装置３４を、変動入賞装置３２の中央部には普通図柄表示装置３５を夫々設け、これらの電気的遊技装置を後述する電気的制御装置によって電気的に駆動制御することで、遊技上の興趣を高めるようにしてある。
【００１６】
また、上記補助変動入賞装置３３の左右両側方には、遊技盤１０の盤面を流下する球を通過入賞させる第１普図始動ゲート３６ａ、第２普図始動ゲート３６ｂを設けてあり、これら第１，第２普図始動ゲート３６ａ，３６ｂに球が通過入賞することによって、上記普通図柄表示装置３５（図１の実施形態においては１つの７セグメント式可変表示器より構成）の表示図柄を変換させる予備遊技が開始され、該予備遊技の開始から所定時間が経過し、普通図柄表示装置３５の図柄を特定の図柄に固定表示することで予備遊技を終了させる。
【００１７】
ここで、普通図柄表示装置３５の停止図柄が予め定めた特定の図柄（例えば数字の「７」）に該当することで賞態様が形成された場合には、上記補助変動入賞装置３４を遊技者にとって不利な第１状態から遊技者にとって有利な第２状態に変換する第１補助遊技へ移行するのである。なお、普通図柄表示装置３５の停止図柄が賞態様に該当しなかった場合には、再び通常の遊技状態に復帰するが、このときに第１，第２普図始動ゲート３６ａ，３６ｂの通過記憶があった場合には、当該通過記憶に基づいて再び予備遊技を行う。各普図始動ゲート３６ａ，３６ｂの通過記憶は、例えば４つまで記憶保持するものとし、普通図柄表示装置３５の近傍に４つ設けた普図ゲート通過記憶ＬＥＤ３７…を点灯させることで、普図ゲート通過記憶の記憶数を可視表示するのである。
【００１８】
また、上記予備遊技において賞態様が形成されることで第２状態（例えば、図示を省略した１対の球受片が左右方向に回動することで、盤面を流下する遊技球を補助変動入賞装置３４内へ招じ入れる状態）に変換される補助変動入賞装置３４の第１特図始動口３８ａ、もしくは変動入賞装置３３の大入賞口３３ａの左右両側方に形成した第２特図始動口３８ｂ、第３特図始動口３８ｃの何れかに遊技球が入賞すると、特別図柄表示装置３２を高速で変換表示させる第２補助遊技が開始され、この第２補助遊技の開始から所定時間が経過すると、特別図柄表示装置３２の表示図柄を任意の図柄に固定表示することで第２補助遊技を終了させる。
【００１９】
図１に示す実施形態の特別図柄表示装置３２は、例えば３つの可変表示器より構成するものとし、これら３桁の記号が予め定めた所定の条件（例えば３桁の記号が一致すること。例えば、「７」，「７」，「７」）を満たすことで賞態様が形成された場合には、変動入賞装置を遊技者にとって不利な第１状態から遊技者にとって有利な第２状態に変換させる特別遊技へ移行するのである。一方、第２補助遊技が終了した際に、特別図柄表示装置３２に表示された停止図柄が賞態様に該当しなかった場合には、通常の遊技状態に復帰するが、このときに第１，第２第３特図始動口３８ａ，３８ｂ，３８ｃの入賞記憶があった場合には、当該入賞記憶に基づいて再び第２補助遊技を行う。なお、各特図始動口３８ａ〜３８ｃの入賞記憶は、例えば４つまで記憶保持するものとし、特別図柄表示装置３５の上部に４つ設けた特図始動入賞記憶ＬＥＤ３９…を点灯させることで、特図始動入賞記憶の記憶数を可視表示するのである。
【００２０】
上記のようにして特別遊技が開始されると、変動入賞装置３３の球受扉４０を例えば前方に傾動させ、遊技盤１０の盤面を流下する遊技球を大入賞口３３ａへ招じ入れる第２状態に変換するのである。すなわち、特別遊技においては、変動入賞装置３３が多量の遊技球を受け入れ得る第２状態に変換されることで、遊技者は多量の賞球を獲得可能となるのである。また、特別遊技においては、大入賞口３３ａへの入賞球数が所定個数に達するか、変動入賞装置３３の第２状態変換時間が予め定めた所定時間（例えば３０秒）に達するか、何れか最先の条件が満たされた時点で変動入賞装置３３を第１状態に復帰させるものとし、この間を１サイクルとして、例えば最高１６サイクルまで更新可能な遊技内容の特別遊技を行うものとしてある。このため、図１に示す変動入賞装置３３においては図示を省略したが、変動入賞装置３３の大入賞口３３ａ内に通常入賞領域と継続入賞領域とを設け、変動入賞装置３３への入賞球を“通常入賞球”と“継続入賞球”とに分別して入賞させる構成としてあり、当該サイクル内に継続入賞球が検出されることをサイクル更新条件としてある。
【００２１】
また、上記のように構成した遊技盤１０には、補助変動入賞装置３４の第１特図始動口３８ａへ入賞した球を検出する第１特図始動入賞球検出器４１、第２特図始動口３８ｂへ入賞した球を検出する第２特図始動入賞球検出器４２、第３特図始動口３８ｃへ入賞した球を検出する第３特図始動入賞球検出器４３、変動入賞装置３３内の継続入賞領域へ入賞した球を検出する継続入賞球検出器４４、変動入賞装置３３内へ入賞した大入賞口入賞球を一括して検出する大入賞口入賞球検出器４５、第１普図始動ゲート３６ａへの通過入賞球を検出する第１普図始動ゲート通過球検出器４６、第２普図始動ゲート３６ｂへの通過入賞球を検出する第２普図始動ゲート通過球検出器４７、第１一般入賞口１１ａへの入賞球を検出する第１一般入賞球検出器４８、第２一般入賞口１１ｂへの入賞球を検出する第２一般入賞球検出器４９、第３一般入賞口１１ｃへの入賞球を検出する第３一般入賞球検出器５０、第４一般入賞口１１ｄへの入賞球を検出する第４一般入賞球検出器５１を夫々適宜な位置に設けてあり、各入賞口に入賞した球を夫々検出できるようにしてある。なお、各検出器の検出出力は後述する電気的制御装置へ供給される。
【００２２】
また、球供給皿１６より発射球待機部１７へ供給された球は、打球発射装置（図１においては省略）の作動杆の弾発部により弾発され、ガイドレール８を介して遊技盤１０の遊技部９へ到達する。このときに、各弾発球は発射センサ５２によって検出されるものとしてあり、発射球の計数値を電気的制御装置で演算可能なようにしてある。また、弾発勢が弱かったために遊技部９へ到達できなかった球は、ファール球として再びガイドレール８に沿って流下してくるが、このファール球が後続の弾発球と衝突する不具合が生ずることの無いように、ファール球をファール球導出路５３へ導いて、例えば球受皿１９へ排出する構成としてある。なお、このファール球はファール球導出路５３を通過する際に、ファールセンサ５４によって検出されるものとしてあり、このファール球数を発射球数の総数より減ずることによって、実際の有効発射球数を求めることができる。
【００２３】
一方、遊技機１の裏面側（図３に示す）には、上記遊技盤１０の遊技部９内へ弾球された球（セーフ球およびアウト球）を回収して、適宜に処理すると共に、各入賞球に応じた賞球の排出制御、プリペイドカードの使用に基づいた遊技者の選択による球貸排出制御を行えるように、各種の機能を備えた裏機構盤５５を設けてあり、該裏機構盤５５の背面適所には、遊技盤１０等を制御するための電気的制御装置５６、該電気的制御装置５６の収集した予備遊技、第１，第２補助遊技および特別遊技に関連する管理情報を外部たる管理装置等へ出力する第１ターミナル装置５７ａ、該第１ターミナル装置５７ａが取り扱う以外の管理情報を出力すると共に電源ターミナルとしても機能する第２ターミナル装置５７ｂ、賞球排出動作および貸球排出動作を併せて制御する遊技球排出制御装置５８が着脱可能に取り付けてある。そして、これら電気的制御装置５６、第１，第２ターミナル装置５７ａ，５７ｂ、遊技球排出制御装置５８、球貸制御装置１５は夫々接続線を介して機能的に接続してあり、各装置間で信号の授受が可能なようにしてある。
【００２４】
また、第１ターミナル装置５７ａと第２ターミナル装置５７ｂには、外部接続コネクタ５９ａ，５９ｂを夫々設けてあり、この外部接続コネクタ５９ａ，５９ｂを介して図示省略の管理装置等へ管理情報を供給するのである。なお、球貸制御装置１５と図示省略の球貸管理装置とは、光通信等によって双方向通信が可能なように構成してあり、外部接続用のコネクタ等の代わりにデータ送受信部５９ｃを適所（図１においては前面側上部）に備える。さらに、本実施形態に係る遊技機１には、所謂打止め制御（本体枠２とカードユニット３が接続されていな状態であったり、管理装置からの指令を受けたりすることで、当該遊技機１での遊技を不能状態にする制御）と関連させて打球発射装置を強制的に停止させるための発射停止リレー６０を備えると共に、各種の遊技状態に応じた音声を出力するためのスピーカ６１を設けてある。
【００２５】
次に、上記裏機構盤５５に設けた主な機能の概略構成にき、図４に基づいて説明する。
【００２６】
上記遊技盤１０の裏面に設けた入賞球集合樋（図示省略）から流下してきた入賞球を受け得る所要位置において上面が開成する入賞球案内樋６２によって、遊技盤１０からの入賞球を集め、磁気センサ等よりなるセーフセンサ６３へ導くための調流樋６４へ入賞球を整列状態で供給し、該調流樋６４を通過する間に入賞球は上記セーフセンサ６３で１個宛検出され、調流樋６４と接続する導出樋６５から遊技機１外へ排出される。
【００２７】
尚、本実施形態においては、流下する球を一旦調流樋６４内に停留させるセーフ球払出機構を設けるものとし、各入賞球に基づく賞球排出動作が完了した際にセーフソレノイド６６を動作させることで、該セーフソレノイド６６のプランジャと適宜なリンクを介して接続された第１扇形部材６７ａが調流樋６４内に臨み、セーフセンサ６３に検出されている入賞球の上流側に位置する入賞球の流下を阻止すると共に、上記セーフソレノイド６６のプランジャと適宜なリンクを介して接続された第２扇形部材６７ｂが調流樋６４から後退し、セーフセンサ６３に検出されている入賞球を自由落下させる。斯くすることによって、セーフセンサ６３に検出されていた入賞球を１個だけ排出することができるのである。また、賞球排出処理の済んだ入賞球を排出するのに十分な時間が経過した後にセーフソレノイド６６をオフにすると、上記とは逆に、第１扇形部材６７ａが後退すると共に第２扇形部材６７ｂが調流樋６４内に臨むので、第１扇形部材６７ａに流下を阻止されていた入賞球がセーフセンサ６３に検出された状態で第２扇形部材６７ｂに流下を阻止される。よって、セーフソレノイド６６をオン・オフさせることによって、入賞球を１個宛て確実に排出できるのである。
【００２８】
また、本実施形態に係る遊技機１においては、セーフセンサ６３とは別途に、遊技盤１０に設けた各種入賞領域としての第１〜第４一般入賞口１１ａ〜１１ｄや変動入賞装置３３等に夫々入賞球検出器を設けておき、当該入賞球の種別を個別に検出できるので、各入賞領域への入賞数を個別に管理情報として取得することができると共に、各入賞領域の種別に応じて排出賞球数を異ならしめることができる。なお、遊技盤１０の背面側に設ける入賞球集合樋を複数系統設ける場合には、各入賞球集合樋と接続される入賞球案内樋を夫々構成し、各入賞球案内樋に応じた２系統の流路を設けて、各流路を通過する入賞球を異なるセーフセンサによって別途に検出するように構成してもよい。
【００２９】
一方、アウト口３３より遊技盤１０の裏面側へ導かれたアウト球は、アウト球導出路６８を経て、アウト球流下路６９から遊技機１外へ排出される。尚、アウト球流下路６９には適宜な凹凸を設けることで、アウト球の落下する勢いを減殺し、該アウト球が落下する回収樋への衝撃を軽減するようにしてある。また、アウト球流下路６９の適所にはアウト球検出手段としてのアウトセンサ７０を配設し、アウト球として回収された球数を計数可能なようにしてある。
【００３０】
裏機構盤５５の上部には遊技媒体たる球を貯留するための球貯留タンク７１を設けてあり、該球貯留タンク７１内の球は誘導樋７２を経て、遊技媒体たる球を排出する遊技球排出装置７３へ供給される。上記球貯留タンク７１へは遊技機列より構成された島設備の球供給樋より球供給されるものとしてあり、例えば各遊技機１…を総括的に管理する管理装置の制御によって、球が適宜に補給されるようにしてある。この球貯留タンク７１内の球数が不足したことを検出するための補給センサ７４を、例えば誘導樋７２の球流入部に配設してあり、上記補給センサ７４が球不足を検出し、該検出情報を管理装置が受信することによって、当該遊技機１の球貯留タンク７１への球補給が為されるのである。
【００３１】
遊技球排出装置７３の内部には、上記誘導樋７２の球流路と連通する２条の流入樋７５，７５、該流入樋７５，７５に続く調流樋７６，７６を形成してあり、調流樋７６，７６には、各々排出ストップ機構７７，７７と排出球の検出手段たる第１排出センサ７８ａ，第２排出センサ７８ｂを適所に設けてある。尚、図面に示す実施形態においては、第１，第２排出センサ７８ａ，７８ｂの適宜下流側に排出ストップ機構７７，７７を配するものとし、第１，第２排出ソレノイド７９ａ，７９ｂが適宜なリンク機構８０，８０を介して流下阻止部材８１，８１を調流樋７６，７６から引き上げる方向に回動させることで、球の流下を許容するものとしてある。なお、本実施形態の如く、遊技球排出装置７３に２条の球通路を設けると共に、各球通路に排出ストッパ機構７７，７７および第１，第２排出センサ７８ａ，７８ｂを設けた場合には、２つの遊技球排出機構を構成することができ、遊技球排出能力を向上させることが可能となる。
【００３２】
なお、上記のように構成した遊技球排出装置７３を用いて行う賞球排出動作もしくは貸球排出動作において、遊技球の残数が半端な状態で第１，第２排出ソレノイド７９ａ，７９ｂがオンすると、所定数の遊技球排出を所定時間内に行えないために、一旦遊技球排出動作を中断し、その後に排出用の球が補給された際に改めて排出動作が再開されることとなるため、所定数の遊技球排出を完了するまでに著しい時間差が生じ、遊技者に不信感を与えることにもなりかねない。そこで、排出用の球が不足した場合には、上記誘導樋７２の補給センサ７４がオンすることに基づいて出力される補給要求信号を受けた管理装置が球補給制御を行うことで、当該遊技機１への球補給が速やかに行われるため、通常はこのような半端球の排出動作が実行されることはないのであるが、管理装置の補給指令が遅れたり、補給センサ７４の故障で補給要求が為されなかった場合等を考慮して、本実施形態においては、第１半端センサ８２ａ、第２半端センサ８２ｂを誘導樋７２の下流側適所に設けておき、該第１，第２半端センサ８２ａ，８２ｂがオンした場合には、遊技球排出装置７３による球排出動作を規制するように構成してある。
【００３３】
上記遊技球排出装置７３の調流樋７６，７６下端に続く球排出樋８３は、流入部８４と、前面枠５前面の球供給皿１６につながる流下樋８５を設けた排球部８６とから形成してあり、遊技球排出装置７３の調流樋７６，７６から流入した遊技球を突壁等に当てながら流下樋８５上に落とし、球供給口８７へ球が供給されるようにする。斯くして、球供給口８７を介して排出球が前面パネル７の前面側に位置する球供給皿１６に排出されるのである。
【００３４】
上記流下樋８５の下部につながる分配樋８８は前面枠５の前面下部の球受皿１９につながり、球供給皿１６がパチンコ球で一杯になると前記流下樋８５から溢れたパチンコ球を球受皿１９へ排出する。また、分配樋８８には流下樋８５の直下方にて樋壁を兼ねる検知片８９に連動するスイッチたるオーバーフローセンサ９０を設けてあり、分配樋８８内がパチンコ球で一杯になった場合には、その押圧力で検知片８９が押圧されて、オーバーフローセンサ９０がオン信号を出力するのである。
【００３５】
球排出樋８３の途中から分岐する球抜き樋９３の流入部には、例えば板状の球抜ゲート９１を支軸９２によって回動自由に配設してあり、この球抜ゲート９１を回動させることによって、球抜き樋９３への分岐路を適宜開閉できるようにしてある。この球抜ゲート９１は、樋壁の外部において支軸９２と球抜ソレノイド９４とを適宜なリンク９５を介して接続し、上記球抜ソレノイド９４をオン・オフさせることによって、球抜ゲート９１を所望角度回動可能（流下樋８５への流入口を閉塞し得る状態と、球抜き樋９３への流入口を閉塞し得る状態とに変換可能）なようにしてある。なお、この球抜き動作は、遊技機１の前面側から操作することでオンさせられる球抜きセンサ９６の検出信号に基づいて行われる。
【００３６】
そして、球抜ソレノイド９４へ通電すると、球抜ソレノイド９４のプランジャが引き上げられるためにリンク９５が上動して、球抜ゲート９１を流下樋８５側へ回動させることによって、球抜き樋９３の流入口を開成させる。なお、球抜ゲート９１は球排出樋８３を塞ぐ位置（パチンコ球が通過不可能な状態となる位置）まで回動されるものとしてある。また、球抜ソレノイド９４への通電を断つと、バネ等より構成した適宜な復元力により、球抜ゲート９１が球抜き樋９３の流入口を閉塞する位置へ速やかに復帰する。
【００３７】
なお、球抜ゲート９１が復帰する際に、球抜ソレノイド９４のプランジャが所定位置まで下降すると、それ以上球抜ゲート９１は回動できないので、球抜ゲート９１が球抜き樋９３内へ大きく後退することはない。また、球抜ゲート９１が所定位置に復帰した状態で当接する適宜なストッパ等を設けるようにすれば、球抜ゲート９１が揺動運動するのを防げると共に、バネ等の復帰力によって球抜ソレノイド９４が破損する危険性をも小ならしめることができる。
【００３８】
以上、裏機構盤５５における球処理機能、賞球排出動作もしくは貸球排出動作を行うための遊技媒体排出機能、遊技球排出装置７３から球貯留タンク７１にかけて貯留されている球を抜き取るための球抜機能等について説明した。なお、球抜き樋９３の下流側はアウト球流下路６９と合流させてあり、図示しない回収樋へ導いて、パチンコ機列よりなる島設備の遊技球循環機構へ還元し、回収された遊技球を研摩・清浄した後、再び球貯留タンク７１へ供給するのである。
【００３９】
また、遊技機１の裏面側下部の、例えば操作ハンドル１８と対応する位置には、遊技球を連続発射するための打球発射装置を設けてあり、該打球発射装置の電気的駆動源としてのモータの回転運動を発射杵９７の往復回動運動に変換させ、該発射杵９７の端部に形成した弾発部９８（図３参照）で発射球待機部１７に位置する球を弾発し、発射レール９９（図１参照）を介して遊技盤１０のガイドレール８へと弾き出し、遊技盤１０の遊技部９へ到達させるのである。なお、打球発射装置は操作ハンドル１８の回動量に応じて打球の発射勢を調整可能なように構成してある。また、打球発射装置の電気的駆動源はモータに限らず、ロータリーソレノイド等を用いて構成する場合もある。
【００４０】
上記のように構成した遊技機１は、図５の機能ブロック図に示す如く、遊技店の各遊技機１…を総括的に管理する管理装置１００へ各種の管理情報を出力すると共に、該管理装置１００より各種の制御情報を受けて、当該遊技機１の遊技制御を行うのである。なお、上記遊技機１の実施形態においては、管理装置１００と管理情報等の授受を行うためのターミナル装置５７を電気的制御装置５６とは別途に設ける構成としたが、管理情報等の入出力機能を備えるターミナル装置５７と遊技機１の遊技制御機能を備える電気的制御装置５６とを一体的に構成することで、遊技制御装置１０１を構成するようにしても良い。また、管理情報の入出力機能を遊技制御装置５６のみに設ける場合に限らず、遊技球排出制御装置５８にも管理情報入出力機能を設け、遊技制御装置１０１とは独立して管理情報の入出力を行うように構成しても良い（図５中、破線で示す信号線）。
【００４１】
一方、プリペイドカードの使用に基づく管理情報等は、遊技機１の球貸制御装置１５より直接的に球貸管理装置１０２へ出力する構成としてあり、上述した如く、球貸制御装置１５と球貸管理装置１０２とは光通信等の無線通信によって信号の授受を行う。なお、図５においては省略したが、当該遊技店の球貸管理装置１０２で収集・加工した管理情報は、プリペイドカードの発行会社のホストコンピュータ等へ伝送される。
【００４２】
次に、上記した遊技制御装置１０１の入出力に関連したＩ／Ｏブロック図に基づいて、各種信号の入出力について説明する。なお、本ブロック図においては、電気的制御装置５６とターミナル装置５７とを一体的に構成した場合の実施形態としてある。
【００４３】
遊技制御装置１０１は、中央演算装置（ＣＰＵ１０３）及び記憶装置（ＲＯＭ１０４、ＲＡＭ１０５）を主な構成要素とし、ＣＰＵ１０３には電源を供給する電源回路１０６、クロックを供給する分周回路１０７、音声発生のためのサウンドジェネレータ１０８等が連絡している。また、サウンドジェネレータ１０８はアンプ１０９を介してスピーカ６１に連絡していて、遊技の効果音等を発生する。
【００４４】
また、ＣＰＵ１０３へはバッファゲート１１０及びローパスフィルタ１１１を介して、第１特図始動入賞球検出器４１、第２特図始動入賞球検出器４２、第３特図始動入賞球検出器４３、継続入賞球検出器４４、大入賞口入賞球検出器４５、第１普図始動ゲート通過球検出器４６、第２普図始動ゲート通過球検出器４７、第１一般入賞球検出器４８、第２一般入賞球検出器４９、第３一般入賞球検出器５０、第４一般入賞球検出器５１、遊技球排出制御装置５８等と連絡し、これらの検出器や装置からの信号を受信すると共に、管理装置１００より管理情報要求等の指令信号を受信する。
【００４５】
また、ＣＰＵ１０３からは出力ポート１１２及びドライバ１１３を介して信号を発信し、変動入賞装置３３の球受扉４０の開閉動作を行うための駆動源たる大入賞口ソレノイド１１４、補助変動入賞装置（普通電動役物）３４の球受片を左右に回動させるための駆動源たる普電ソレノイド１１５、特別図柄表示装置３２、普通図柄表示装置３５、特別図柄始動入賞記憶ＬＥＤ３９…、普図始動ゲート通過記憶ＬＥＤ３７…、動作表示ランプ３０へ信号を出力して、各種遊技装置等の動作制御を行うと共に、管理装置１００へ適宜な管理情報を出力する。すなわち、この遊技制御装置１０１が、遊技盤１０に設けられた各種電気的遊技装置を制御する遊技制御手段として機能するのである。
【００４６】
次に、遊技球排出制御装置５８の入出力に関連した機能を図７に示すＩ／Ｏブロック図に基づいて説明する。
【００４７】
この遊技球排出制御装置５８の主要部は、例えばワンチップマイクロコンピュータ１１６より構成するものとしてあり、ワンチップ内にＣＰＵ，ＲＯＭ，ＲＡＭが一体的に組み付けられ、電源回路１１７の供給電源に基づいて動作すると共に、発振器１１８より入力されるクロックを分周して用いる。
【００４８】
そして、上記ワンチップマイクロコンピュータ１１６へは、ローパスフィルタ１１９を介して、第１排出センサ７８ａ、第２排出センサ７８ｂ、球抜センサ９６、セーフセンサ６３、オーバーフローセンサ９０、第１半端センサ８２ａ、第２半端センサ８２ｂ、補給センサ７４、発射センサ５２、ファールセンサ５４、アウトセンサ７０、遊技制御装置１０１、管理装置１００、球貸制御装置１５等より信号を受ける。一方、上記ワンチップマイクロコンピュータ１１６からは、ドライバ１２０を介して、第１排出ソレノイド７９ａ、第２排出ソレノイド７９ｂ、球抜ソレノイド９４、セーフソレノイド６６、完了ランプ３１、発射停止リレー６０、遊技制御装置１０１、管理装置１００、球貸制御装置１５等へ信号を出力する。
【００４９】
次に、球貸制御装置１５の入出力に関連した機能を図８に示すＩ／Ｏブロック図に基づいて説明する。
【００５０】
この球貸制御装置１５の主要な機能も、上記遊技球排出制御装置５８と同様に、ワンチップマイクロコンピュータ１２１より構成するものとしてあり、ワンチップ内にＣＰＵ，ＲＯＭ，ＲＡＭが一体的に組み付けられ、電源回路１２２の供給電源に基づいて動作すると共に、発振器１２３より入力されるクロックを分周して用いる。
【００５１】
また、上記ワンチップマイクロコンピュータ１２１へは、ローパスフィルタ１２４を介して、遊技球排出制御装置５８、球貸スイッチ２１、カード返却スイッチ２２等より信号が入力されると共に、ワンチップマイクロコンピュータ１２１からは、ドライバ１２５を介して、使用可能表示ランプ２２、残度数表示器２５、操作スイッチ有効表示器２６、遊技球排出制御装置５８等へ信号出力する。なお、ワンチップマイクロコンピュータ１２１より出力されるプリペイドカードに関連した情報は、トランシーバ１２６を介して球貸管理装置１０２へ無線送信されると共に、該球貸管理装置１０２よりの制御指令は、レシーバ１２７を介して無線受信される。
【００５２】
さらに、遊技者が使用するプリペイドカードの有価データの読出し・書き換え動作を行うカードリード・ライタ２３より得られる管理情報は、トランシーバ１２６を介して球貸管理装置１０２へ出力されると共に、該球貸管理装置１０２よりの制御指令が、レシーバ１２７を介してカードリード・ライタ２３へ入力されるものとしてある。なお、カードリード・ライタ２３からワンチップマイクロコンピュータ１２１への管理情報や、ワンチップマイクロコンピュータ１２１からカードリード・ライタ２３への制御指令も、夫々レシーバ１２７もしくはトランシーバ１２６を介して授受されるものとしてある。
【００５３】
次に、遊技機１と管理装置１００との間で管理情報の授受を行う送受信機能についての要部を、図９に示す機能ブロック図に基づいて詳細に説明する。なお、本ブロック図においては、遊技機１より管理装置１００へ管理情報を出力する機能および管理装置１００より遊技機１へ出力された指令信号の受信機能をターミナル装置５７が総括的に担うものとし、電気的制御装置５６もしくは遊技球排出制御装置５８より管理情報を管理装置１００へ直接出力したり、管理装置１００よりの制御信号が電気的制御装置５６もしくは遊技球排出制御装置５８へ直接入力されることは無いものとしてある。
【００５４】
先ず、遊技盤１０の遊技部９内に設けられた各種入賞領域への入賞球を検出する入賞球検出手段１２８（例えば、セーフセンサ６３やアウトセンサ７０等）より出力される入賞球検出信号が電気的制御装置５６へ入力され、該入賞球検出情報と当該入賞領域の種別を判別するための入賞球種別判定信号（図２においては、第１〜第３始動入賞球検出器４１〜４３や第１，第２普図始動ゲート通過球検出器４６，４７等の検出信号）に基づいて、電気的制御装置５６が各種の遊技装置（図９においては省略）の動作制御を行うことで、予備，第１，第２補助遊技や特別遊技等の遊技状態を生ぜしめる。
【００５５】
上記入賞球検出手段１２８よりの入賞球検出信号は遊技球排出制御装置５８へも入力されるものとしてあり、該入賞球検出信号に基づいて遊技球排出制御装置５８は、遊技球排出装置７３に賞球排出動作を行わせて、所定数の賞球が払い出されるようにする。なお、本実施例においては、各種入賞領域によって排出賞球数を変える（例えば、５個、１０個、１５個の３種類）ので、入賞球種別検出信号（例えば、第１〜第４一般入賞球検出器４８〜５１や大入賞口入賞球検出器４５等の各種センサのセンサ出力）たる入賞信号を受けることに基づいて遊技制御手段としての電気的制御装置５６が夫々の入賞口に対応した排出賞球数に関連した信号（賞球信号）を送出し、該賞球信号を遊技球排出制御装置５８が受けることによって、当該入賞球に対して排出する賞球数を判定し、遊技球排出装置７３を作動させるようにする。
【００５６】
また、遊技球排出制御装置５８は、球貸制御装置１５より入力される球貸指令信号に基づいて遊技球排出装置７３を作動させ、貸球排出動作を行うものとしてある。このとき、電気的制御装置５６よりの賞球排出指令と球貸制御装置１５よりの球貸排出指令とが競合した場合には、何れの遊技球排出動作を優先させるかを遊技球排出制御装置５８が自ら判定して、判定結果に基づいて遊技球排出動作を行う。なお、遊技球排出制御装置５８は、賞球排出動作を行っている間は球貸制御装置１５よりの球貸排出指令が入力されることを規制し、球貸排出動作を行っている間は電気的制御装置５６よりの賞球排出指令が入力されることを規制する。
【００５７】
上記のようにして、入賞球検出手段１２８より出力された入賞球検出情報や、遊技球排出制御装置５８より出力された賞球排出情報は、遊技盤１０の各種遊技装置の遊技制御状態と併せて、電気的制御装置５６内で一時的に記憶保持されたり、各検出情報を予め定めた演算手順に従って新たな情報に加工されたりする。そして、これらの検出情報や遊技制御状態等を管理情報としてターミナル装置５７へ出力し、該ターミナル装置５７が管理装置１００の管理情報要求指令等を受信した際に、適宜なタイミングで管理情報を管理装置１００へ出力するのである。さらに、遊技機１の遊技制御と関連性の薄い管理情報（例えば排出待機球の不足情報等）を検出する特定検出手段１２９（例えば、補給センサ７４）の検出出力はターミナル装置５７へ供給され、管理装置１００よりの管理情報要求指令を待たずに（管理情報要求指令と非同期で）、ターミナル装置５７より管理装置１００へ出力されるものとしてある。
【００５８】
上記電気的制御装置５６には遊技制御手段１３０と管理情報計数記憶手段１３１とを設けてあり、該電気的制御装置５６における主たる機能としての遊技制御手段１３０が、当該遊技機１の遊技内容を決定する遊技盤１０の各種電気的駆動源を有する遊技装置の動作制御を統括的に制御すると共に、賞球排出動作に関連した制御信号の授受を遊技球排出制御装置５８との間で行う。一方、管理情報計数記憶手段１３１は、上記入賞球検出手段１２８からの入賞球検出信号と併せて、遊技制御手段１３０より供給される遊技状態に関連した信号を、夫々管理情報として個別に計数記憶する。
【００５９】
上記管理情報計数記憶手段１３１が記憶保持している各種の管理情報は、管理装置１００からの管理情報出力要求信号を受けたターミナル装置５７からの管理情報抽出要求に基づいて、ターミナル装置５７へ出力するように構成しても良いし、管理情報計数記憶手段１３１における管理情報が更新される毎にターミナル装置５７へ出力するように構成しても良い。
【００６０】
また、管理情報の性質に応じて、夫々異なる出力形態を設定するようにしても良い。例えば、排出賞球数に関する信号を、賞球数が１０個増加する毎に“１パルス”の賞球排出情報を出力すると設定した場合には、賞球排出情報の性質上、賞球排出数が更新される毎に管理情報計数記憶手段１３１からターミナル装置５７へ随時更新データを出力するよりも、１パルスの賞球排出情報を出力可能となったタイミングで、管理情報計数記憶手段１３１からターミナル装置５７へ出力するようにした方が望ましい。すなわち、遊技球排出制御装置５８より賞球排出数信号が入力されて、管理情報計数記憶手段１３１内においては賞球排出数が更新されていても、ターミナル装置５７から管理装置１００へ出力する最小単位（１０個）に満たない場合には、ターミナル装置１３１から管理装置１００への信号出力は為されないので、実質的に管理情報としての排出賞球数は更新されていないと看做せるからである。
【００６１】
次に、管理情報計数記憶手段１３１の管理情報記憶機能と管理情報演算機能とに関連した構成を説明する。
【００６２】
上記入賞球検出手段１２８よりの入賞球検出信号と遊技制御手段１３０よりの遊技制御情報は、管理情報計数記憶手段１３１の遊技情報記憶手段１３２へ入力され、該遊技情報記憶手段１３２で各種の管理情報が計数記憶されるのである。該遊技情報記憶手段１３２において計数記憶される管理情報は、何れかの入賞領域への入賞数（セーフセンサ６３の信号入力数の計数値や各種検出器４１〜５１の検出出力の計数値）、特別遊技の発生回数、変動入賞装置３３の第２状態変換回数、特別遊技中における大入賞口３３ａへの入賞球数（大入賞口入賞球検出器４５の計数値）、特別遊技におけるサイクルの更新継続回数（変動入賞装置３３内の継続入賞球検出器４４の検出出力の計数値）、特別図柄表示装置３２の変換回数（第２補助遊技の実行回数）、普通図柄表示装置３５の変換回数（予備遊技の実行回数）、当該遊技機において発生した不正回数、特別遊技の連続発生回数（第２補助遊技における賞態様の連続形成回数）等である。
【００６３】
また、上記した管理情報記憶手段１３２に計数記憶されている管理情報は、管理情報演算記憶手段１３３へ供給され、該管理情報を受けた管理情報演算記憶手段１３３は、予め定めた演算手順に従って当該管理情報を演算処理すると共に、演算結果たる新たな管理情報記憶保持するのである。この管理情報演算記憶手段１３３において新たに算出される管理情報は、大当り発生確率（第２補助遊技の発生回数に対する大当り発生回数の割合）、大入賞口平均入賞数（特別遊技における１サイクルにおいて大入賞口３３ａに入賞する球数の平均値）、平均継続回数（特別遊技において継続更新されるサイクル数の平均値）、当り確率（普通図柄可変表示装置３５の変換回数に対する第１補助遊技の発生回数の割合）等である。
【００６４】
上記管理情報演算記憶手段１３３が演算する新たな管理情報の種別や、該管理情報を求めるための演算手順等は、特に限定されるものではないが、例えば、「大当り確率」は「特別図柄表示装置３２に賞態様が形成された大当りの発生回数（大当りカウント数）」を「特別図柄表示装置３２の変換回数（特図可変表示カウント数）」で除することによって得られ、「大入賞口平均入賞数」は「大入賞口入賞球検出器４５の検出出力たる大入賞口入賞球信号の計数値（大入賞口入賞球カウント数）」を「変動入賞装置３３の球受扉４０の第２状態変換回数（大入賞口開放カウント数）」で除することによって得られ、「平均継続回数」は「変動入賞装置３３の継続入賞球検出器４４の検出出力たる継続入賞球検出信号の計数値（継続カウント数）」を「大当りカウント数」で除することによって得られ、「当り確率」は「補助変動入賞装置３４の球受片の第２状態変換回数（普電開放カウント数）」を「普通図柄表示装置３５の変換回数（普図可変表示カウント数）」で除することによって得られる。
【００６５】
また、管理情報演算記憶手段１３３が演算処理を行うに際して、予め定めた演算処理条件が満たされているか否かを管理情報演算記憶手段１３３自身が判断し、当該演算処理条件が満たされていない場合には、遊技情報記憶手段１３２より新たな管理情報が入力されていても、当該管理情報の演算処理を行わないように構成しても良い。例えば、上記平均継続回数の算出に際しては、特別遊技の実行中には演算処理を規制し、当該特別遊技の終了後に「平均継続回数」を算出した方が効率的である。よって、「平均継続回数」についての演算処理を行う場合には、特別遊技終了を演算処理条件とし、当該特別遊技が終了した時点で「新たな平均継続回数」を算出させるのである。
【００６６】
なお、上記のように演算処理条件を設定して、当該演算処理条件が満たされるまで新たな管理情報を算出しない構成とした場合には、管理情報演算記憶手段１３３に前回演算値記憶手段１３４を設けておき、管理装置１００より当該管理情報の送信を要求された際には、この前回演算値記憶手段１３４に記憶保持してある値を管理情報として出力するように構成すれば良い。また、前回演算値を管理情報として出力している旨の情報も併せて出力するようにしても良い。
【００６７】
一方、遊技球排出制御装置５８より供給される賞球排出情報は、管理情報計数記憶手段１３１内の排出情報記憶手段１３５へ供給され、該排出情報記憶手段１３５において計数記憶される。該排出情報記憶手段１３５において計数記憶される管理情報は、賞球排出および貸球排出動作によって遊技球排出装置７３を作動させた回数（排出動作回数）、賞球として排出された遊技球の総数（賞球排出総数）、貸球として排出された遊技球の総数（貸球排出総数）、球貸基準単位量に基づく排出動作回数（玉貸排出回数）、セーフ球数、アウト球数、発射球数、ファール球数、遊技店における当該遊技機１の電源投入時からの経過時間（稼働時間）、球抜動作を行った回数（球抜回数）、補給要求を行った回数（補給回数）等である。なお、上記したように、排出賞球数は１０個を基準単位量として設定し、通常は賞球数が１０個に達する毎に排出情報記憶手段１３５よりターミナル装置５７へ更新情報を出力する。斯くして、ターミナル装置５７より賞球排出数に関する管理情報が基準単位量を１パルスとして管理装置１００へ出力されるのである。
【００６８】
しかしながら、各入賞領域毎に排出賞球数を異ならしめることが一般的である近来の遊技機１においては、排出賞球数の総計数値が１０の倍数になることは希であり、基準単位量に満たない端数分の賞球数は管理情報として管理装置１００へ供給されないこととなってしまう。各遊技機１について生ずる排出賞球の端数は最高でも「９個」であり、遊技店全体で取り扱う管理情報に占める誤差の割合としては微々たるものであるが、一千台を超えるような大型の遊技店について考えた場合、各遊技機について平均４個の端数賞球が生じたと仮定すると、遊技店全体で４千個の端数賞球数が生ずることとなり、この球数を金額に換算した場合、比較的大きな金額に相当する（例えば、１個の球に対する等価金額を４円とすれば１６０００円）。
【００６９】
そこで、基準単位量に満たない端数分の賞球数は通常の管理情報とは異なる端数管理情報として取り扱い、予め定めたタイミングで管理装置１００等の外部へ出力することが望ましい。斯くするために、例えば管理装置１００が端数管理情報要求信号をターミナル装置５７へ出力し、該要求信号を受けたターミナル装置５７より電気的制御装置１３１の排出情報記憶手段１３５に端数管理情報要求が為されて、排出情報記憶手段１３５に記憶されている端数管理情報を出力するようにしても良い。しかしながら、遊技店の営業時間中に端数管理情報を出力しても、その後にまた端数管理情報が生ずるのであるから、営業時間の終了後に一括して端数管理情報を管理装置１００が要求するように構成した方が効率的である。また、営業の終了に際して、遊技機１の電源停止時に端数管理情報を自主的に出力するようにしても良い。斯くすれば、当該遊技機１の電源停止によって管理情報の更新が為されることがないので、端数管理情報の信頼性が高まる。なお、当該遊技機１の電源停止時には、上記端数管理情報と併せて、未出力分の管理情報も一括して送出するようにしても良い。
【００７０】
また、排出情報記憶手段１３５の記憶保持する排出情報は、上記管理情報演算記憶手段１３３へも供給されるものとしてあり、該管理情報演算記憶手段１３３によって、当該遊技店の営業上の収支の概算に用いる割数（例えば、「遊技者が遊技に供した発射球の総数」に対する「遊技者が遊技によって獲得した賞球の総数」の割合）、稼働率（例えば、当該遊技機１の稼働時間と打球発射装置作動時間との比率）、ファール率（打球発射数に対するファール球の発生率）、排出エラー率（排出動作回数と排出エラー発生回数との比率）、賞球排出数毎の排出回数（賞球種別に応じた排出動作回数の集計値）等に演算処理される。
【００７１】
上記排出情報記憶手段１３５より供給される排出情報に基づいて管理情報演算記憶手段１３３が演算する新たな管理情報の種別や、該管理情報を求めるための演算手順等は、特に限定されるものではないが、例えば、「割数」は「当該遊技機１において排出された賞球の総数（賞球排出カウント数）」を「当該遊技機１においてアウト口１４より回収されたアウト球の総数（アウトカウント数）と当該遊技機１において何れかの入賞領域に受け入れられた入賞球の総数（セーフカウント数）との加算値」で除することによって得られ、「稼働率」は「当該遊技機１の打球発射装置によって弾発された発射球の総数（発射カウント数）と打球発射装置における発射杵９７の動作間隔（発射間隔：例えば０．６秒）との積算値」を「電源投入時からの経過時間」で除することによって得られ、「ファール率」は「当該遊技機１においてファール球回収路５３から回収されたファール球の総数（ファールカウント数）」を「発射カウント数」で除することによって得られ、「排出エラー率」は「当該遊技機１において発生した遊技球排出装置７３のエラー回数（エラーカウント数）」を「当該遊技機における遊技球排出装置７３の作動回数（排出カウント数）」で除することによって得られる。
【００７２】
以上説明した管理情報計数記憶手段１３１によって収集・加工される管理情報や端数管理情報を遊技機１の外部たる管理装置１００へ出力すると共に、管理装置１００よりの制御指令を受信するターミナル装置５７には、管理情報出力手段１３６を設けてあり、この管理情報出力手段１３６によって遊技機１と管理装置１００との送受信を一括して行う構成としてある。なお、図９には図示を省略したが、ターミナル装置５７には電源ターミナル機能も付加してあり、商用交流電源を適宜に変圧・整流して遊技機１の各部（遊技盤１０に設けられる遊技装置や制御装置等）へ電源供給するのである。
【００７３】
また、管理情報出力手段１３６には、出力情報記憶手段１３７、情報出力判定手段１３８、非同期出力手段１３９を設けてあり、通常は管理装置１００の管理情報出力要求手段１４０によって指定された管理情報の種別を情報出力判定手段１３８によって判定し、当該管理情報要求信号により指定された管理情報のみを選択的に管理装置１００へ出力するが、予め定めた管理情報出力条件が満たされない場合には、管理情報要求信号によって指定された管理情報を管理情報計数記憶手段１３１へ要求せずに、出力情報記憶手段１３７に一旦記憶しておいた管理情報から出力するように制御したり、特定検出手段１２９の検出情報を受けた場合には、管理情報要求信号によって当該管理情報が指定されることを待たずに、管理情報要求指令と非同期で非同期出力手段１３９が管理装置１００へ当該管理情報（例えば補給要求情報）を出力する。
【００７４】
上記出力情報記憶手段１３７が一旦排出情報を記憶するケースとして、例えば、他のデータとの相対関係で判断される性質の管理情報が比較的短時間の内に更新される可能性のある場合に、「更新される可能性のある遊技状態に移行した時から当該遊技状態が終了するまでの期間に該当しないこと」を管理情報出力条件に設定することである。以下に、その具体例を説明する。
【００７５】
上記したように、大当り確率は大当りカウント数と第２補助遊技発生回数との比で得られる管理情報であるが、第２補助遊技の実行中に管理装置１００より大当り確率を指定管理情報として要求された場合に、管理情報の出力中に第２補助遊技が終了して大当りが発生し、大当り確率の管理情報が更新されると、この大当り確率情報を出力する前に管理装置１００へ既に出力された大当りカウント数と第２補助遊技発生回数の演算値と異なる値の大当り確率が管理装置１００へ出力されることとなってしまう。したがって、斯かる不具合を無くすために、第２補助遊技が開始されてから終了するまでは、大当りカウント数と第２補助遊技実行回数と大当り確率とは一体的に出力されるようにする事が望ましいので、これらをまとめて出力情報記憶手段１３７に記憶しておき、管理装置１００より当該管理情報についての出力要求があった場合には、管理情報計数記憶手段１３１から管理情報を要求せずに、出力情報記憶手段１３７の記憶管理情報を出力するのである。
【００７６】
なお、上記の如く管理情報出力手段１３６に出力情報記憶手段１３７を設けない場合には、管理情報出力条件が満たされていない指定管理情報の出力を単に規制するだけでも良いし、管理情報出力条件に適合していない旨の信号を管理装置１００へ出力するようにしても良い。また、管理情報出力条件は上記の条件に限定されるものではなく、例えば、管理装置１００が正常に動作している旨の信号を管理情報出力手段１３６が受けていることを管理情報出力条件とした場合には、管理装置１００からの管理情報要求と非同期に出力する管理情報であっても、当該管理情報が無効にされることを防止するために当該管理情報の出力を規制し、出力情報記憶手段１３７に一旦記憶させておくようにしても良い。
【００７７】
上述したように、本発明に係る遊技機１においては、遊技制御手段１３０の動作制御により当該遊技機１で遊技が行われることに関連して、当該遊技機１より得られる各種の管理情報を、管理情報計数記憶手段１３１が個別に計数記憶する構成としたので、管理情報が変化した時点で当該情報を出力しない場合であっても、管理装置１３０へ出力していない管理情報は管理情報計数記憶手段１３１に計数記憶されることとなる。また、管理情報計数記憶手段１３１に計数記憶された管理情報は、管理装置１００より管理情報要求信号が入力されることに基づいて、管理装置１００へ出力する構成としたので、管理装置１００においては、短時間毎に各遊技機１…の管理情報全てを収集する必要がなくなる。
【００７８】
一方、上記管理情報出力手段１３６に対して管理情報の要求を行うと共に該管理情報出力手段より返送される管理情報を収集する管理装置１００の管理情報出力要求手段１４０には、特定情報指定手段１４１と要求頻度制御手段１４２とを設けてあり、予め管理装置１００に対して指定した管理情報を選択的に収集するように管理情報要求信号を出力すると共に、当該遊技店における遊技機１…の設置台数等に応じて各遊技機１…より管理情報を要求する頻度を調整することができるようにしてある。そして、これら管理装置１００の管理情報出力要求手段１４０より送出される管理情報要求信号に基づいて、上記管理情報出力手段１３６が適宜なタイミングで所望の管理情報のみを管理装置１００へ出力するのである。
【００７９】
上記のように、管理装置１００より要求する管理情報の種別を指定することによって、遊技機１…の設置台数が多い大型の遊技店においても、リアルタイムで収集したい管理情報のみを効率よく管理装置１００で収集できる。なお、全管理情報を各遊技機１…から収集するように設定した場合においても、各遊技機１…毎に管理情報が管理情報計数記憶手段１３１に計数記憶されているので、各遊技機１…におけるスイッチングの動作状態を管理装置１００が短時間に走査して管理情報を読み出す従来の構成の如く、当該遊技機１の管理情報が変化する前に当該管理情報を管理装置１００が高速で読み出す必要がない。
【００８０】
また、管理装置１００は要求頻度制御手段１４２によって、各遊技機１…への管理情報要求タイミングを自在に設定できるので、遊技機１…の設定台数の多い大型の遊技店においても、比較的処理能力の小さい管理装置１００を用いて管理情報の収集加工処理を十分に行うことができる。したがって、従来の管理情報収集システムの如く、管理装置１００より全ての遊技機１…に対して極く短時間毎に管理情報要求信号を供給する必要が無いので、各遊技機の管理情報を収集・加工する管理装置１００を比較的高価な高機能の管理装置１００を導入しなくても、比較的安価な管理装置１００で遊技店の総括管理を行うことが可能となる。
【００８１】
すなわち、本発明に係る遊技機１によって管理情報を管理装置１００へ出力し、この出力された管理情報を管理装置１００等で収集・管理するものとすれば、遊技店に設置されている遊技機１…の台数あるいは各遊技機１…が出力する管理情報の量が増大しても、管理装置１００へ正確な管理情報を出力することが可能となり、極めて有益な管理情報収集システムを構築できるのである。
【００８２】
なお、特定情報指定手段１４１によって指定した管理情報のみを収集した場合には、他の管理情報を別途に管理装置１００へ供給する必要があるので、例えば、管理情報要求信号によって出力要求されなかった種別の管理情報を指定外管理情報として、管理情報出力手段１３６が個別に計数記憶し、所定のタイミングで管理装置１００へ出力するようにすれば良い。この指定外管理情報の出力タイミングは特に限定されるものではないが、例えば管理装置１００から管理情報一括要求信号が入力されることを所定のタイミングとしても良い。例えば、管理装置１００が各遊技機１…に対して管理情報出力要求を行う回数が一定回数（例えば１００回）に達する毎に、指定管理情報ではなく管理情報一括要求を行うようにしても良いし、当該遊技店における営業の終了時に一括して要求するようにしても良い。或いは、上記端数管理情報と同様に各遊技機１…の電源停止時に各遊技機１…が自発的に指定外管理情報を一括して出力するようにしても良い。
【００８３】
次に、上記のように構成した遊技機１における遊技制御装置１０１および遊技球排出制御装置５８の制御の流れを図１０〜図４２に示すフローチャートに基づいて説明する。なお、上記実施形態においては、電気的制御装置５６にのみ管理情報計数記憶手段１３１を設け、入賞球検出手段１２８、遊技制御手段１３０、遊技球排出制御装置５８より各検出情報や遊技情報を管理情報計数記憶手段１３１へ供給し、各管理情報の収集・加工を総括的に行い、この管理情報計数記憶手段１３１からターミナル装置５７の管理情報出力手段１３６を介して、管理装置１００へ出力するするものとしたが、以下の実施形態においては、電気的制御装置５６と遊技球排出制御装置５８に夫々管理情報計数記憶機能を付加すると共に、管理情報の送信機能と管理装置１００よりの制御信号の受信機能とを各制御装置に付加するものとした。
【００８４】
先ず、電気的制御装置５６の遊技制御および管理情報制御について説明する。この電気的制御装置５６は、例えば２ミリ秒毎にリセットされるものとしてあり、リセットによって起動する毎に所定の処理手順に従ってルーチンワークを行い、再び待機（リセット待ち）状態になる。なお、開店等で当該遊技機１の電源が投入された際には、ＲＡＭのクリアやフラグの初期設定等の初期化処理を行い、その後に各処理へ移行する。
【００８５】
リセットによって再起動した際には、先ず各種検出器の検出出力を処理する入力処理を行い、特別図柄表示装置３２用いて第２補助遊技を行う特図処理を行い、普通図柄表示装置３５を用いて予備遊技を行う普図処理を行い、後に詳述する入力処理においてセットされる“賞球数要求フラグ”がセットされているか否かを判定し、該賞球数要求フラグがセットされていた場合には、賞球数を管理情報として管理装置１００へ出力する賞球数送信処理を行う。次いで、入力処理においてセットされる“遊技情報要求フラグ”がセットされているか否かを判定し、該遊技情報要求フラグがセットされていた場合には、各種の遊技情報を管理情報として管理装置１００へ出力する遊技情報送信処理を行う。次いで、各種収集情報に基づいて新たな管理情報を演算する情報演算処理を行い、当該遊技機１に対して不正が為されていないかを監視し、後述する特図処理や普図処理等でフラグがセットされることに基づく制御信号の出力や効果音の出力を行い、後述する特図処理や普図処理で使用する乱数を更新する。
【００８６】
入力処理においては、先ず、第１特図始動入賞球検出器４１（ＳＷ１）、第２特図始動入賞球検出器４２（ＳＷ２）、第３特図始動入賞球検出器４３（ＳＷ３）、継続入賞球検出器４４（ＳＷ４）、大入賞口入賞球検出器４５（ＳＷ５）、第１普図始動ゲート通過球検出器４６（ＳＷ６）、第２普図始動ゲート通過球検出器４７（ＳＷ７）、第１一般入賞球検出器４８（ＳＷ８）、第２一般入賞球検出器４９（ＳＷ９）、第３一般入賞球検出器５０（ＳＷ１０）、第４一般入賞球検出器５１（ＳＷ１１）の各センサの検出出力、遊技球排出制御装置５８からの制御指令、管理装置１００からの制御指令を夫々読み込み、入力の有無を判定する。
【００８７】
次いで、第１特図始動入賞球検出器４１がオンであるか否かを判定し、検出出力が入力されていた場合にはＳＷ１カウント値に「１」加算することで計数値を更新し、特図始動記憶処理を行う。特図始動記憶処理（図１５に示すフローチャート）においては、５賞球カウント値に「１」加算することで更新し、特図始動記憶の記憶値が「４」未満であるか否かを判定し、「３」以下であった場合には、後述する特図処理において使用する乱数を抽出すると共に該抽出乱数を記憶し、特図始動記憶値に「１」加算することで計数値を更新する。一方、特図始動記憶の記憶値が「４」であった場合には、特図始動記憶の上限値に達しているので、当該特図始動入賞球検出に基づく始動記憶は加算せずに特図始動記憶処理を終了する。なお、上記特図始動記憶処理において“５賞球カウント値”に加算したのは、当該入賞領域への入賞によって排出される賞球数を５個に設定してあるからである。
【００８８】
上記のようにして第１特図始動入賞球検出器４１がオンすることに基づく一連の処理が終わると、次いで、第２特図始動入賞球検出器４２がオンになっているか否かを判定し、該第２特図始動入賞球検出器４２がオンしていた場合には、ＳＷ２カウント値に「１」加算すると共に、上記と同様な特図始動記憶処理を行う。次いで、第３特図始動入賞球検出器４３がオンになっているか否かを判定し、該第３特図始動入賞球検出器４３がオンしていた場合には、ＳＷ３カウント値に「１」加算すると共に、特図始動記憶処理を行う。
【００８９】
次いで、変動入賞装置３３内の継続入賞球検出器４４がオンしているか否かを判定し、該継続入賞球検出器４４がオンしていた場合には、ＳＷ４カウント値に「１」加算することで更新する。さらに、変動入賞装置３３内の大入賞口入賞球検出器４５がオンしているか否かを判定し、該大入賞口入賞球検出器４５がオンしていた場合には、ＳＷ５カウント値および１５賞球カウント値に夫々「１」加算することで更新した後に、変動入賞装置３の大入賞口３３ａが開放中であるか否かを判定し、開放中であれば特別遊技の１サイクル継続中であるから、当該変動入賞装置３３への適正な入賞球と看做して入賞カウント値に「１」加算する。なお、この入賞カウント値は、特別遊技の各サイクル毎に計数されるものとしてあり、後述する特図処理において当該サイクルが終了する毎にクリアされる。
【００９０】
しかしながら、大入賞口３３ａが球受扉４０によって閉塞されている場合には、特別遊技自体の終了もしくはサイクル終了後に変動入賞装置３３内に受け入れられた入賞球と判断できるので、入賞カウント値には加算しない。なお、変動入賞装置３３が第１状態に復帰した後に大入賞口入賞球検出器４５に検出された入賞球であっても有効な入賞球として所定の賞球を排出するように構成しても良い。また、上記処理において１５賞球カウント値に「１」加算したのは、変動入賞装置３３への入賞に基づく排出賞球数を１５個に設定してあるからである。
【００９１】
また、第１普図始動ゲート通過球検出器４６がオンしていた場合には、ＳＷ６カウント値に「１」加算することで更新し、普図始動記憶処理を行う。この普図始動記憶処理（図１６に示すフローチャート）においては、普図始動記憶値が「４」未満であるか否かを判定し、普図始動記憶値が「３」以下であれば、後述する普図処理で用いる乱数を抽出すると共に該乱数を記憶し、普図始動記憶値に「１」加算することで更新する。一方、普図始動記憶の記憶値が「４」であった場合には、普図始動記憶の上限値に達しているので、当該普図始動入賞球検出に基づく始動記憶は加算せずに普図始動記憶処理を終了する。また、第２普図始動ゲート通過球検出器４７がオンしていた場合にも同様に、ＳＷ７カウント値に「１」加算すると共に普図始動記憶処理を行う。
【００９２】
次いで、第１一般入賞球検出器４８がオンしているか否かを判定し、第１一般入賞球検出器４８がオンしていた場合には、ＳＷ８カウント値および１０賞球カウント値に夫々「１」加算することで更新する。なお、上記処理において１０賞球カウント値に「１」加算したのは、第１〜第４一般入賞口１１ａ〜１１ｄへの入賞に基づく排出賞球数を１０個に設定してあるからである。以下同様に、第２一般入賞球検出器４９、第３一般入賞球検出器５０、第４一般入賞球検出器５１がオンしているかを夫々判定し、オンしていれば、夫々ＳＷ９カウント値、ＳＷ１０カウント値、ＳＷ１１カウント値および１０賞球カウント値に夫々「１」加算して更新する。
【００９３】
上記のようにして、各検出器の検出情報に基づく処理を行った後には、遊技球排出制御装置５８からの指令信号を受信し、該指令信号によって賞球数が要求されていた場合には“賞球数要求フラグ”をセットする。次いで、管理装置１００からの制御指令を受信し、該指令信号によって遊技情報が要求されていた場合には“遊技情報要求フラグ”をセットして、当該入力処理を終了する。
【００９４】
次に、普通図柄表示装置３５を用いて行う予備遊技の開始および終了と、補助変動入賞装置３４を用いて行う第１補助遊技の開始および終了を制御する普図処理を説明する。
【００９５】
普図処理においては、先ず補助変動入賞装置（普通電動役物）３４を第２状態に変換するための“普電開放フラグ”がセットされているか否かを判定し、該普電開放フラグがセットされていなければ、次いで補助変動入賞装置３４が変換動作中である第１補助遊技中における普通図柄表示装置３５の変換動作開始を規制するための“普図ウエイトフラグ”がセットされているか否かを判定し、該普図ウエイトフラグもセットされていなければ、次いで普通図柄表示装置３５の停止図柄をハズレ図柄（賞態様に該当しない図柄）にするための“普図ハズレフラグ”がセットされているか否かを判定し、該停止図柄ハズレフラグもセットされていなければ、次いで予備遊技として普通図柄表示装置３５の変換動作を制御するための“普図可変表示フラグ”がセットされているか否かを判定し、該普図可変表示フラグもセットされていなければ、次いで予備遊技の開始条件となる第１，第２普図始動ゲート通過球検出器４６，４７の検出記憶たる「普図始動記憶」があるか否かを判定し、該普図始動記憶も無ければ、そのまま当該普図処理を一旦終了する。
【００９６】
上記と同様の処理を２ミリ秒の起動毎に行う間に、第１，第２普図始動ゲート３６ａ，３６ｂに遊技球が通過入賞することで、普図始動記憶がセットされていた場合には、当該普図始動記憶に基づいて予備遊技を開始させるのである。先ず、当該予備遊技の開始に伴って普図始動記憶の記憶値から「１」減ずると共に“普図可変表示フラグ”をセットし、普通図柄表示装置３５の変換状態を保持するための「普図表示タイマ」（例えば５秒）をセットする。また、予備遊技の開始記憶値たる普図可変表示カウント値に「１」加算することで、普図可変表示カウント値を更新した後、当該普図処理を一旦終了する。
【００９７】
斯くして、“普図可変表示フラグ”がセットされた後に開始される普図処理においては、普図表示タイマがタイムアップしたか否かの判定処理を行い、普図表示タイマがタイムアップすると、“普図可変表示フラグ”をリセットすると共に、上記入力処理中の普図始動記憶処理において抽出した乱数値に基づいて停止図柄を決定する。そして、この決定した停止図柄が当り図柄（賞態様に該当する図柄）であるか否かを判定し、当り図柄に該当しなかった場合には、普図ハズレ図柄および普図ハズレタイマ（例えば５００ミリ秒）をセットして、当該普図処理を一旦終了する。上記のようにして、普図ハズレフラグおよび普図ハズレタイマがセットされた後に開始される普図処理においては、普図ハズレタイマがタイムアップしたか否かの判定処理を行い、この普図ハズレタイマがタイムアップした場合には、普図ハズレフラグをリセットすることで予備遊技を終了し、通常の遊技状態に復帰する。
【００９８】
上記のようにして、通常の遊技状態に戻った後に開始する普図処理においても普図始動記憶が有った場合には、この普図始動記憶に基づいて予備遊技が連続して行われる。しかして、予備遊技において普通図柄表示装置３５の停止図柄が当り図柄（賞態様に該当する図柄）であった場合には、“普電開放フラグ”および「普電開放タイマ」（例えば３秒）をセットすると共に、普電開放カウント値に「１」加算することで普電開放カウント値を更新して、当該普図処理を一旦終了する。斯くして、普電開放フラグがセットされた後に開始される普図処理においては、補助変動入賞装置３４を第２状態に変換する第１補助遊技を開始すると共に、普電タイマがタイムアップしたか否かを判定し、この普電タイマがタイムアップすると“普電開放フラグ”をリセットして第１補助遊技を終了させる。
【００９９】
さらに、第１補助遊技の終了に伴って“普電ウエイトフラグ”および「普図ウエイトタイマ」（例えば１秒）をセットし、当該普図処理を一旦終了させる。そして、この第１補助遊技において補助変動入賞装置３４の第１特図始動口３８ａに遊技球が入賞し、第１特図始動入賞球検出器４１が該入賞球を検出した場合には、後述する第２補助遊技へ移行するのである。なお、第１補助遊技において補助変動入賞装置３４内に遊技球が入賞しない場合であっても、第２，第３特図始動口３８ａ，３８ｂの何れかに遊技球が入賞することで、特図始動記憶が有った場合にも第２補助遊技は開始される。
【０１００】
そして、補助変動入賞装置３４を第１状態に復帰させた後には、普図ウエイトフラグがセットされることに基づいて、普図ウエイトタイマがタイムアップしたか否かを判定し、この普図ウエイトタイマがタイムアップすると、普図ウエイトフラグをリセットして通常の遊技状態に復帰するか、特別図柄表示装置３２を用いて行う第２補助遊技へ移行する。なお、ここでウエイトタイムを設定したのは、第１補助遊技において補助変動入賞装置３４内に入賞した遊技球が第１特図始動入賞検出器４１に検出されて第２補助遊技移行条件が満たされたか否かの判定を行うのに必要十分な時間を確保するためである。
【０１０１】
次に、特別図柄表示装置３２を用いて行う第２補助遊技の開始および終了と、変動入賞装置３３を用いて行う特別遊技の開始および終了とを制御する特図処理について説明する。
【０１０２】
この特図処理においては、先ず変動入賞装置３３の大入賞口３３ａを開放することで変動入賞装置３３を第２状態に変換するための“大入賞口開放フラグ”がセットされているか否かを判定し、該大入賞口開放フラグがセットされていなければ、次いで特別遊技におけるサイクルを更新させるための“継続フラグ”がセットされているか否かを判定し、該継続フラグがセットされていなければ、次いで第２補助遊技において特別遊技移行条件が成立したことを聴覚的に放置するための“ファンファーレフラグ”がセットされているか否かを判定し、該ファンファーレフラグがセットされていなければ、次いで第２補助遊技における特別図柄表示装置３２を停止させるための“特図停止フラグ”がセットされているか否かを判定し、該特図停止フラグがセットされていなければ、次いで特別遊技におけるサイクル終了後のウエイトタイムを生ぜしめる“特図ウエイトフラグ”がセットされているか否かを判定し、該特図ウエイトフラグがセットされていなければ、次いで特別図柄表示装置３２の停止図柄をハズレ図柄（賞態様に該当しない図柄）にするための“特図ハズレフラグ”がセットされているか否かを判定し、該特図ハズレフラグがセットされていなければ、次いで第２補助遊技として特別図柄表示装置３２の変換動作を制御するための“特図可変表示フラグ”がセットされているか否かを判定し、該特図可変表示フラグもセットされていなければ、次いで第２補助遊技の開始条件となる第１〜第３特図始動入賞球検出器４１〜４３の検出記憶たる「特図始動記憶」があるか否かを判定し、該特図始動記憶も無ければ、そのまま当該特図処理を一旦終了する。
【０１０３】
上記と同様の処理を２ミリ秒の起動毎に行う間に、第１〜第３特図始動口３８ａ〜３８ｃの何れかに入賞した遊技球を第１〜第３特図始動入賞球検出器４１〜４３の何れかが検出することで、特図始動記憶がセットされていた場合には、当該特図始動記憶に基づいて第２補助遊技を開始させるのである。先ず、当該第２補助遊技の開始に伴って特図始動記憶の記憶値から「１」減ずると共に“特図可変表示フラグ”をセットし、特別図柄表示装置３２の変換状態を保持するための「特図表示タイマ」（例えば５秒）をセットする。また、第２補助遊技の開始記憶値たる特図可変表示カウント値に「１」加算することで、特図可変表示カウント値を更新した後、当該特図処理を一旦終了する。
【０１０４】
斯くして、“特図可変表示フラグ”がセットされた後に開始される特図処理においては、特図表示タイマがタイムアップしたか否かの判定処理を行い、特図表示タイマがタイムアップすると、“特図可変表示フラグ”をリセットすると共に、上記入力処理中の特図始動記憶処理において抽出した乱数値に基づいて停止図柄を決定し、“特図停止フラグ”をセットする。そして、この特図停止フラグがセットされることに基づいて、特別図柄表示装置３２の３桁の図柄を順次適宜なタイミングで停止させ、上記抽出乱数によって決定した停止図柄が特別図柄表示装置３２に固定表示させるようにする。
【０１０５】
特別図柄表示装置３２に３桁の停止図柄が表示された後には、特図停止図柄をリセットすると共に、この決定した停止図柄が大当り図柄（賞態様に該当する図柄）であるか否かを判定し、大当り図柄に該当しなかった場合には、特図ハズレフラグおよび特図ハズレタイマ（例えば１秒）をセットして、当該特図処理を一旦終了する。上記のようにして、特図ハズレフラグおよび特図ハズレタイマがセットされた後に開始される特図処理においては、特図ハズレタイマがタイムアップしたか否かの判定処理を行い、この特図ハズレタイマがタイムアップした場合には、特図ハズレフラグをリセットすることで第２補助遊技を終了し、通常の遊技状態に復帰する。
【０１０６】
上記のようにして、通常の遊技状態に戻った後に開始する特図処理においても特図始動記憶が有った場合には、この特図始動記憶に基づいて第２補助遊技が連続して行われる。しかして、第２補助遊技において特別図柄表示装置３２の停止図柄が大当り図柄（賞態様に該当する図柄）であった場合には、賞態様の種別（例えば、「７」，「７」，「７」や「３」，「３」，「３」等）毎に設けた停止図柄カウンタの該当する停止図柄カウント値に「１」加算することで該当停止図柄カウント値を更新し、ファンファーレフラグおよびファンファーレタイマ（例えば５秒）をセットする。
【０１０７】
斯くして、ファンファーレフラグがセットされた後に行われる特図処理においては、ファンファーレタイマがタイムアップしたか否かを判定し、ファンファーレタイマがタイムアップすると、ファンファーレフラグをリセットすると共に“大当りフラグ”をセットすることで、特別遊技を開始させるのである。なお、特別遊技の開始に伴って、特別遊技の発生回数の計数値たる大当りカウント値に「１」加算することで大当りカウント値を更新し、“大入賞口開放フラグ”をセットし、変動入賞装置３３の第２状態変換回数を計数記憶値たる大入賞口開放カウント値に「１」加算することで大入賞口開放カウント値を更新し、当該特別遊技におけるサイクル回数の計数値たる継続回数値に「１」加算することで継続回数値を更新し、さらに特別遊技における１サイクルの終了条件の一つである変動入賞装置３３の第２状態変換時間を計時するための大入賞口タイマをセットして、当該特図処理を一旦終了する。
【０１０８】
上記のようにして大入賞口開放フラグがセットされた後に開始される特図処理においては、変動入賞装置３３の球受扉４０が第２状態に変換されることで大入賞口３３ａを開放する特別遊技の第１サイクルが開始され、この第１サイクルの継続中に継続入賞球検出器（ＳＷ４）４４が継続入賞球を検出する事に基づいてサイクル更新条件が満たされたか否かの判定と、当該サイクルの終了条件たる「大入賞口タイマがタイムアップしたか」もしくは「当該サイクル中における変動入賞装置３３への入賞球の計数値たる入賞カウント数が１０に達したか」を判定する。
【０１０９】
そして、上記１サイクル中に継続入賞球が検出された場合には、“継続フラグ”をセットすることによって、当該サイクルの終了後に再びサイクルが更新される。ただし、１サイクル中に継続フラグがセットされるのは１回のみとし、同一サイクル中に２回以上継続検出器４４がオンした場合であっても、最先の継続入賞球検出に基づく継続フラグをセットした後には、継続入賞球の有無判定は行わない。また、サイクルの継続回数が１６回（継続回数値が「１６」）になった場合には、特別遊技の終了条件が満たされたこととなり、１６サイクル中における継続入賞球検出器４４の検出出力に基づく継続フラグのセットは行わない。
【０１１０】
サイクルの終了条件（大入賞口タイマのタイムアップもしくは入賞カウント＝１０）が満たされると、当該遊技機１の大入賞口入賞球検出器４５に検出された入賞球の総数を計数する大入賞口入賞数カウント値に当該サイクルの入賞カウント値を加算することで大入賞口入賞数カウント値を更新し、“大入賞口開放フラグ”をリセットすると共に、“特図ウエイトフラグ”および「特図ウエイトタイマ」（例えば２秒）をセットして、当該特図処理を一旦終了する。
【０１１１】
上記のようにして特別遊技の１サイクルが終了した後に開始される特図処理において、継続フラグがセットされていた場合には、特図ウエイトタイマがタイムアップしたか否かを判定し、特図ウエイトタイマがタイムアップした場合には、継続フラグおよび特図ウエイトフラグをリセットすると共に、前回のサイクルにおける大入賞口入賞球数を計数した入賞カウント値をクリアする。そして、“大入賞口開放フラグ”をセットし、変動入賞装置３３の第２状態変換回数を計数記憶値たる大入賞口開放カウント値に「１」加算することで大入賞口開放カウント値を更新し、当該特別遊技におけるサイクル回数の計数値たる継続回数値に「１」加算することで継続回数値を更新し、さらに特別遊技における１サイクルの終了条件の一つである変動入賞装置３３の第２状態変換時間を計時するための大入賞口タイマをセットして、当該特図処理を一旦終了する。斯くして、上記したと同様な特別遊技の１サイクルが実行されるのである。
【０１１２】
一方、特別遊技の１サイクルが終了した後に開始される特図処理において、継続フラグがセットされていない場合には、特図ウエイトフラグがセットされていることに基づいて、特図ウエイトタイマがタイムアップしたか否かを判定し、特図ウエイトタイマがタイムアップした場合には、特図ウエイトフラグおよび大当りフラグをリセットすることで特別遊技を終了させ、当該遊技機１における継続回数の計数値たる継続カウント値に当該特別遊技におけるサイクル更新回数の計数値たる継続回数値を加算することで、継続カウント値を更新し、継続回数をクリアする。斯くして、特別遊技の最終サイクルが終了した後に特図ウエイトタイマが計時する所定時間が経過すると通常の遊技状態に復帰し、ここで特図始動記憶がセットされていれば、再び第２補助遊技が行われるのである。
【０１１３】
次に、遊技球排出制御装置５８が賞球排出を行うに際して、遊技球排出制御装置５８が当該入賞球に応じた排出賞球数を電気的制御装置５６へ要求することに基づいて、当該排出賞球数を電気的制御装置５６より遊技球排出制御装置５８へ送信するための賞球数送信処理を説明する。
【０１１４】
この賞球数送信処理は、上記入力処理において“賞球数要求フラグ”がセットされることに基づいて行われるものであり、先ず“賞球データ決定フラグ”がセットされているか否かを判定し、該送信データ決定フラグがセットされていた場合には、当該送信データ決定フラグをセットした際に決定された送信データの送信が終了しているか否かの判定を行い、全データの送信が終了していなければ送信処理を行う。なお、電気的制御装置５６から遊技球排出制御装置５８への送信データをバイナリデータとした場合、当該電気的制御装置の起動間隔（リセット間隔）に基づいて送信クロックを作成し、この送信クロックに同期させて送信データを送信することができる。斯くする場合には、送信データ決定フラグをセットした際に決定した送信データを１回の賞球数送信処理で全て送信することができないので、複数回の賞球送信処理に跨ることとなる。
【０１１５】
送信データの送信が終了すると、当該送信データ決定フラグをリセットすると共に、遊技球排出制御装置５８からの賞球数要求に基づいてセットした賞球数要求フラグをリセットして、当該賞球数送信処理を一旦終了する。そして、その後に開始された賞球数送信処理において、再び賞球数要求フラグがセットされていた場合には、送信データ決定フラグがセットされていないことに基づいて、遊技球排出制御装置５８へ送信する送信データを決定するのである。
【０１１６】
送信データの決定に際しては、先ず上記入力処理において第１〜第３特図始動入賞球検出器４１〜４３の何れかがオンすることに基づいて５賞球カウント値が「１」以上であった場合には、当該５賞球カウント値から「１」減ずることによって５賞球カウント値を更新すると共に、遊技球排出制御装置５８への送信データとしての５個賞球データをセットし、この５個賞球データをセットすることに基づいて送信データ決定フラグをセットする。斯くして、上記したように、この５個賞球データを遊技球排出制御装置５８へ送りきるまで、他の送信データが設定されることはないのである。
【０１１７】
また、送信データ決定フラグがセットされていない状態で送信データを決定する際に、５個賞球カウント値が「０」であった場合には、１５賞球カウント値が「０」であるか否かを判定し、変動入賞装置３３内の大入賞口入賞球検出器４５が大入賞口入賞球を検出することに基づいて１５賞球カウント値が「１」以上であった場合には、当該１５賞球カウント値から「１」減ずることによって１５賞球カウント値を更新すると共に、遊技球排出制御装置５８への送信データとして１５個賞球データをセットして、この１５個賞球データをセットすることに基づいて送信データ決定フラグをセットする。
【０１１８】
さらに、送信データ決定フラグがセットされていない状態で送信データを決定する際に、５賞球カウント値および１５賞球カウント値が「０」であった場合には、１０賞球カウント値が「０」であるか否かを判定し、第１〜第４一般入賞球検出器４８〜５１の何れかが一般入賞球を検出することに基づいて１０賞球カウント値が「１」以上であった場合には、当該１０賞球カウント値から「１」減ずることによって１０賞球カウント値を更新すると共に、この１０個賞球データをセットすることに基づいて送信データ決定フラグをセットする。
【０１１９】
すなわち、本実施形態においては、上記のような制御を行う遊技制御装置１０１が、各入賞口毎の検出器からの入賞信号に基づき、夫々の入賞口に対応した賞球数に関する賞球信号を送出する機能を備えるのである。
【０１２０】
一方、遊技球排出制御装置５８より賞球数要求があったにも拘らず、電気的制御装置５６には５賞球カウント値，１０賞球カウント値，１５賞球カウント値の何れも「０」であった場合には、賞球数データをセットせずに「異常データ」をセットし、該異常データを遊技球排出制御装置５８へ出力することで、当該賞球数要求は無効とされるのである。斯かる異常データが発生するケースは、適正な入賞領域を通過した入賞球を検出すること以外でセーフセンサ６３がオンした場合であり、例えば遊技者が特定周波数の電波を当該遊技機１に向けて放射する等の不正行為を行ったことに起因する場合が想定される。したがって、本フローチャートにおいては省略したが、当該遊技機１において異常状態が発生した旨を視覚的・聴覚的に報知するようにしてもよい。
【０１２１】
なお、遊技球排出制御装置５８からの賞球数データ要求に基づいて賞球数データを送信する場合、入賞球種別に基づく賞球数データを各入賞領域へ入賞した順に記憶させておき、遊技球排出制御装置５８より賞球数データの送信要求がある度に、最も古い記憶の賞球数データから順次排出して行くようにしてもよいが、上記した賞球数送信処理の如く、賞球排出数の少ない“５個賞球データ”を先ず優先的に送信し、５賞球カウント値が無い場合には“１０個賞球データ”を、５個賞球カウント値も１０個賞球カウント値も無い場合には“１５個賞球データ”を遊技球排出制御装置５８へ送信するものとすれば、短時間に多数の入賞球が発生した場合に、短時間で賞球排出動作の行える賞球データから順次迅速に処理して行くことが可能となるので、未排出分の賞球データが著しく増加することを防止できる。
【０１２２】
次に、電気的制御装置５６が管理装置１００より遊技情報要求を受けることによって、上記受信処理で遊技情報要求フラグがセットされることに基づいて行われる遊技情報送信処理を説明する。
【０１２３】
遊技情報送信処理においては、先ず“送信データ記憶フラグ”がセットされているか否かを判定し、該送信データ記憶フラグがセットされていなければ、現在の送信情報を送信エリアにセットすると共に、送信データ記憶フラグをセットする。斯くすることによって、管理装置１００より遊技情報要求指令を受けることに基づいて遊技情報フラグがセットされた時点（現在）の遊技情報を管理装置１００へ送出できるのである。なお、管理装置１００より要求された管理情報の種類が少ない場合には、短時間で管理情報の送信を完了できるので、送信中に遊技情報の内容が更新される可能性が極めて少なく、敢えて遊技情報を送信エリアに一括してセットする必要はない。
【０１２４】
上記のようにして、送信データ記憶フラグおよび送信情報がセットされた後には、送信エリアにセットされた全送信情報の送信が完了しているか否かを判定し、全送信情報の送信が完了していなければ、管理装置１００へ当該送信情報を送出する送信処理を行って、一旦遊技情報処理を終了する。同様の処理を繰り返す間に全データの送信が完了すると、遊技情報要求フラグ及び送信データ記憶フラグをリセットして、管理装置１００よりの新たな管理情報要求指令を受け入れると共に、該要求指令に基づいて新たな送信情報を送信エリアへセットできるようにするのである。
【０１２５】
なお、電気的制御装置５６で行う遊技情報送信処理において管理装置１００へ送信される管理情報は、例えば上記ブロック図で説明したように、各種入賞領域への入賞球数（ＳＷ１〜ＳＷ１１の検出球数）、大当り回数、大入賞口開放回数、大当り中の入賞口入賞数、継続回数、特図可変表示回数、普図可変表示回数、不正発生回数、連続当り回数等である。また、次に説明する情報演算処理で加工される管理情報として、大当り確率、当り確率、平均継続回数、大入賞口平均入賞数等も管理装置１００へ送信される。
【０１２６】
次に、電気的制御装置５６が収集した管理情報を演算処理することによって新たな管理情報を生成する情報演算処理について説明する。
【０１２７】
情報演算処理においては、上記特図処理において“特図可変表示フラグがセットされているか否かを判定し、特図可変表示フラグがセットされていなければ、現在の特図可変表示カウンタのカウント値を用いて大当り確率を演算（「大当りカウント値」÷「特図可変表示カウント値」）し、特図可変表示フラグがセットされていた場合には、特図可変表示カウンタのカウント値から「１」減じた値に基づいて大当り確率を演算する。すなわち、大当り確率を算出する際に第２補助遊技が実行中である（特図可変表示フラグがセットされている）と、当該実行中の第２補助遊技の結果が「当り」か「ハズレ」か未確定であるために、大当り確率の演算に用いる大当りカウンタの値と特図可変表示カウンタの値とが対応しておらず、適正な大当り確率を算出できないからである。したがって、現在実行中の第２補助遊技に関する遊技情報を大当り確率演算の対象から除外することにより、前回までの遊技情報に基づく適正な大当り確率を算出できるのである。
【０１２８】
次いで、上記特図処理において大入賞口開放フラグがセットされているか否かを判定し、当該大入賞口開放フラグがセットされていなければ、大入賞口平均入賞数を演算（「大入賞口入賞数カウント値」÷「大入賞口開放カウント値」）し、大入賞口開放フラグがセットされていれば、大入賞口平均入賞数の演算を行わない。すなわち、大入賞口平均入賞数を演算する際に特別遊技の各サイクルが実行中である（大入賞口開放フラグがセットされている）と、当該実行中のサイクルにおける大入賞口入賞数が未確定であると共に、順次更新されて行くこととなり、適正な大入賞口平均入賞数を算出できないので、大入賞口平均入賞数の算出動作を規制するのである。なお、係る場合には、前回の大入賞口平均入賞数を記憶保持しておき、前回記憶値を管理情報として取り扱うようにしてもよいし、上記大当り確率演算と同様に、当該サイクルが開始される前の値に基づいて大入賞口平均入賞数を算出するようにしてもよい。
【０１２９】
次いで、上記特図処理において大当りフラグがセットされているか否かを判定し、当該大当りフラグがセットされていなければ、平均継続回数を演算（「継続カウント値」÷「大当りカウント値」）し、大当りフラグがセットされていれば“大当り中フラグ”をセットする。すなわち、平均継続回数を演算する際に特別遊技が継続中である（大当りフラグがセットされている）と、当該継続中の特別遊技における継続カウンタのカウント値が未確定であるために、適正な平均継続回数を算出できないことから、平均継続回数の演算を規制するのである。また、大当り中フラグをセットすることに基づいて、特別遊技が終了した際には、次回の特別遊技が連続して発生するか否かを判定可能とするのである。
【０１３０】
次いで、上記普図処理において“普図可変表示フラグがセットされているか否かを判定し、普図可変表示フラグがセットされていなければ、現在の普図可変表示カウンタのカウント値を用いて当り確率を演算（「普電開放カウント値」÷「普図可変表示カウント値」）し、普図可変表示フラグがセットされていた場合には、普図可変表示カウンタのカウント値から「１」減じた値に基づいて当り確率を演算する。すなわち、当り確率を算出する際に予備遊技が実行中である（普図可変表示フラグがセットされている）と、当該実行中の予備遊技の結果が「当り」か「ハズレ」か未確定であるために、当り確率の演算に用いる当りカウンタの値と普図可変表示カウンタの値とが対応しておらず、適正な当り確率を算出できないからである。したがって、現在実行中の予備遊技に関する遊技情報を当り確率演算の対象から除外することにより、前回までの遊技情報に基づく適正な当り確率を算出できるのである。
【０１３１】
上記した各処理を行った後には、“連続当り監視フラグ”がセットされているか否かを判定し、該当り監視フラグがセットされていなければ、次いで“大当り中フラグ”がセットされているか否かを判定する。ここで、大当り中フラグがセットされていなければそのまま情報演算処理を終了し、大当り中フラグがセットされていれば、次いで大当りフラグがセットされているか否かを判定し、大当りフラグがセットされていれば、そのまま情報演算処理を終了する。
【０１３２】
しかしながら、上記の如く“大当り中フラグ”がセットされた状態で、大当りフラグがリセットされていた（特別遊技が終了することで、上記特図処理において大当りフラグがリセットされた）場合には、“大当り中フラグ”をリセットすると共に“連続当り判定範囲（例えば、「特図可変表示カウント値」＋「所定数」）”を設定し、“連続当り監視フラグ”をセットして当該情報演算処理を終了する。斯くすることによって、次回の情報演算処理においては、連続当り監視フラグがセットされていることに基づいて、第２補助遊技の実行回数（上記特別遊技終了後の特図可変表示カウント値）が連続当り判定範囲以内であるか否かを判定するのである。
【０１３３】
ここで、「連続当り判定範囲」とは、特別遊技が連続して発生したと看做し得る「第２補助遊技の実行回数の範囲」を意味するもので、基準となる特別遊技終了後に次回の特別遊技移行条件（第２補助遊技における賞態様の形成）が成立するまでに行った第２補助遊技の回数が、上記連続当り判定範囲に設定された数値以内であれば、特別遊技が連続して発生したと判断するのである。すなわち、「連続当り」とは、基準特別遊技の後に所定回数の第２補助遊技を行うまでに次回の特別遊技が発生する状態を意味するもので、「連続当り回数（所謂連チャン回数）」のカウント値を管理情報として設定した場合には、本実施形態の如く、特別遊技の終了後に次回の特別遊技発生までに行った第２補助遊技の実行回数を計数する必要があるのである。
【０１３４】
そして、情報演算処理が実行される毎に特図可変表示カウント値が連続当り判定範囲以内であるか否かを判定し、特図可変表示カウント値が連続当り判定範囲内で特別遊技が発生した（“大当りフラグ”がセットされた）場合には、連続当りカウント値に「１」加算することで、連続当りカウント値を更新する。さらに、その後に特別遊技が発生するまでに行った第２補助遊技の回数も連続当り判定範囲以内であれば、同様に連続当りカウント値が更新されることとなる。
【０１３５】
一方、特図可変表示カウント値が連続当り判定範囲を越えると、それ以後に特別遊技が発生しても「連続当り」とは判定できないので、連続当り監視フラグをリセットして連続当り監視を中止する。そして、連続当りカウント値が「１」であるか「２」以上であるかを判定し、「２」以上であった場合にのみ、該当連続当りカウント値（連続回数２、連続回数３、…等に応じて夫々個別に設けた連続当りカウンタのうち、該当する連続回数のカウンタのカウント値）に「１」加算することで該当連続当りカウント値を更新すると共に、連続当りカウンタのカウント値に「１」加算して、当該情報演算処理を終了する。
【０１３６】
なお、連続当り判定範囲を設定する際に用いる「所定数」は任意の自然数（例えば５）であり、この所定数を大きく設定すれば、相対的に連続当りが発生し易くなり、所定数を小さく設定すれば、相対的に連続当りが発生し難くなる。また、所定数は予め定めた所定値に限らず、遊技状態に応じて電気的制御装置５６内で設定変更するように構成してもよい。例えば、連続当りカウンタのカウント値が小さい（連続当り回数が少ない）場合には、所定数を大きくして、連続当りを発生し易くしたり、連続当りカウンタのカウント値が大きい（連続当り回数が多い）場合には、所定数を小さくして、連続当りを発生し難くしたりするのである。
【０１３７】
次に、遊技球排出制御装置５８の遊技球排出制御および管理情報制御について説明する。
【０１３８】
先ず、管理装置１００より発射停止指令を受けた場合等に遊技機１の打球発射装置を動作停止させる発射制御処理を行い、次いで管理装置１００よりの排出情報要求指令を受けることに基づいてセットされる排出情報送信フラグがセットされているか否かを判定し、該排出情報送信フラグがセットされていれば排出情報送信処理を行い、次いで遊技球排出装置７３が遊技球排出に供する十分な球が残存していない場合に管理装置１００へ補給要求を行うための補給要求処理を行う。次いで、“貸球排出中フラグ”、“賞球排出中フラグ”、“球抜き排出中フラグ”がセットされているか否かを判定し、何れかのフラグがセットされていれば、当該セットフラグに応じて貸球排出処理、賞球排出処理、球抜排出処理を行う。
【０１３９】
上記何れのフラグもセットされていなければ、次いで“貸球排出フラグ”がセットされているか否かを判定し、“貸球排出フラグ”がセットされていた場合には“貸球排出中フラグ”をセットし、次に“賞球排出フラグ”がセットされているか否かを判定し、“賞球排出フラグ”がセットされていた場合には“賞球排出中フラグ”をセットすると共に、セーフ球カウンタのカウント値に「１」加算することでセーフカウント値を更新し、次に“球抜きフラグ”がセットされているか否かを判定し、“球抜きフラグ”がセットされていれば、“球抜き排出中フラグ”をセットする。そして、再び上記と同様な処理を繰り返すのである。
【０１４０】
次に、発射制御処理について説明する。この発射制御処理においては、先ず“発射停止フラグ１”（後述する入力処理において、球貸制御装置１５との間に接続不良があった場合にセットされるフラグ）がセットされているか否かを判定し、該発射停止フラグがセットされていなければ、次いで“発射停止フラグ２”（後述する入力処理において、管理装置１００より発射停止指令を受けた場合にセットされるフラグ）がセットされているか否かを判定し、該発射停止フラグ２もセットされていなければ、発射停止リレー６０をオフにして（或いはオフ状態を保持させて）、当該発射制御処理を一旦終了する。一方、発射停止フラグ１もしくは発射停止フラグ２の何れかがセットされていた場合には、発射停止リレー６０をオンさせて、打球発射装置を作動不能状態にし、当該遊技機１における遊技を中止させるのである。
【０１４１】
次に、管理装置１００より排出情報要求指令を受けて、後述する入力処理において“排出情報送信フラグ”がセットされることに基づいて行われる排出情報送信処理について説明する。なお、この排出情報送信処理において管理装置１００へ送信する管理情報は、例えば上記ブロック構成図で説明した如く、排出動作回数、賞球排出総数、貸球排出総数、球貸排出回数、セーフ球数、アウト球数、発射球数、ファール球数、稼働時間、球抜き回数、補給回数、昇級す羽後との排出回数等である。また、後述する情報演算処理で加工される管理情報として、割数、稼働率、ファール率、排出エラー率等も管理装置１００へ送信される。
【０１４２】
この排出情報送信処理においては、先ずセーフセンサ６３がオンしているか否かを判定し、該セーフセンサ５３がオンしていなければ、セーフソレノイド６６がオンしているか否かを判定し、該セーフソレノイド６６もオンしていなければ、送信要求された全データを送信したか否かを判定し、送信が完了していなければ送信処理を継続して行い、全データの送信を完了していれば、“排出情報送信フラグ”をリセットする。
【０１４３】
ここで、セーフセンサ６３もしくはセーフソレノイド６６の何れか一方でもオン状態であれば、管理情報としてのセーフ球数が更新されて行くこととなるので、セーフ球数の計数値たるセーフカウント値を用いて演算する割数データも順次更新されて行くことを意味する。そこで、セーフセンサ６３もしくはセーフソレノイド６６の何れか一方でもオン状態であれば、割数データの送信時に当該割数データが演算途中である旨を付記した管理情報を管理装置１００へ送出させるのである。また、セーフ球数が更新途中であれば、当該入賞球に基づいて行う未処理分の賞球排出動作もあるために、賞球排出動作中に生じた排出エラーの計数値たるエラーカウント値も更新される可能性がある。そこで、排出エラー率の送信時には、当該排出エラー率データが演算途中である旨を付記した管理情報を管理装置１００へ送出させるのである。
【０１４４】
次に、遊技球排出装置７３が球排出に用いる球の残数が不足した場合に、管理装置１００へ補給要求を行う補給要求処理を説明する。
【０１４５】
この補給要求処理においては、先ず“補給フラグ”がセットされているか否かを判定し、該補給フラグがセットされていなければ、次いで“球不足フラグ”がセットされているか否かを判定し、球不足フラグもセットされていなければ、補給要求の必要が無いものとして、そのまま当該補給要求処理を一旦する。なお、上記球不足フラグは、補給センサ７４がオンする等の諸条件に基づいて、後述する入力処理においてセットされるフラグである。
【０１４６】
上記と同様な補給要求処理を繰り返す間に球不足フラグがセットされると、“補給フラグをセットすると共に、管理装置１００へ補給要求を行った補給要求回数を計数する補給カウント値に「１」加算することで更新し、補給要求信号を管理装置１００へ送出し、さらに完了ランプ３１を点灯させて当該遊技機１の球不足状態を遊技者に報知する。斯くして、補給フラグがセットされた後に行われる補給要求処理においては、球不足フラグがリセットされるまで補給要求信号の送信と完了ランプ３１の点灯とを継続して行う。そして、管理装置１００の制御により当該遊技機１に球補給が為され、補給センサ５４がオフになる等の諸条件に基づいて、球不足フラグがリセットされると、補給フラグをリセットすると共に、完了ランプ３１を消灯させ、補給要求処理を終了する。
【０１４７】
次に、貸球排出処理を説明する。なお、この貸球排出処理は、後述する入力処理において“貸球排出フラグがセットされることによって、“貸球排出中フラグ”がセットされることに基づいて行われるものである。
【０１４８】
貸球排出処理においては、先ず“貸球終了フラグ”がセットされているか否かを判定し、該貸球終了フラグがセットされていなければ、“貸球中フラグ”がセットされているか否かを判定し、この貸球中フラグもセットされていなければ、貸球排出動作を行うことが可能な状態であるか否かの排出開始条件確認を行い、排出開始条件が満たされていない排出不可能状態であれば、そのまま当該貸球排出処理を一旦終了する。なお、上記排出開始条件とは、例えば、第１，第２半端センサ８２ａ，８２ｂがオンしていない状態（遊技球排出装置７３へ供給し得る十分な排出待機球が残存している状態）、前面パネル７が閉成している状態（遊技球排出装置７３より排出された排出球が球供給皿１６に導出される状態）、オーバーフローセンサ９０がオンしていない状態（球排出樋８３の分配樋８８内に遊技球が充満していない状態）等であり、これらのうち何れか一つでも満たされない条件がある場合には、貸球排出動作を規制するのである。
【０１４９】
一方、排出開始条件が全て満たされていた場合には、“貸球中フラグ”をセットし、当該排出動作に基づいて排出する排出球の数（排出球数：例えば２５個）を排出球カウンタにセットし、該排出動作によって排出する排出数を貸球排出総数カウンタのカウント値に加算することで更新し、貸球排出動作を行った回数を計数するための排出動作カウンタのカウント値に「１」加算することで更新し、排出エラーの発生を検出するための排出タイマ（例えば３秒）をセットし、球貸制御装置１５へ球貸要求に基づく貸球排出動作を開始した旨の貸球排出開始信号を送信する。そして、遊技球排出装置７３の第１，第２排出ソレノイド７９ａ，７９ｂをオンさせて遊技球の排出動作を開始させると共に、排出処理を行う。
【０１５０】
上記排出処理においては、先ず排出タイマがタイムアップしたか否かを判定し、排出タイマがタイムアップしていなければ“排出立上りフラグ”（後述する入力処理において、遊技球排出装置７３の第１，第２排出センサ７８ａ，７８ｂがオンすることによってセットされるフラグ）がセットされているか否かを判定する。そして、遊技球排出装置７３より遊技球が排出されることに基づいて排出立上りフラグがセットされると、該排出立上りフラグをリセットすると共に、上記排出カウンタのカウント値から「１」減ずることによって排出カウント値を更新する。一方、排出タイマがタイムアップするまでに排出立上りフラグがセットされなければ、排出エラーが生じたものとして、排出カウンタのカウント値を帰零させると共に、排出エラーカウンタのカウント値に「１」加算することで排出エラーカウントを更新する。なお、排出エラーの発生によって排出動作を強制終了させた場合には、排出処理を行う前に更新した貸球排出総数カウンタや貸球排出動作カウンタ等のカウント値から無効となったカウント値を減ずることが望ましいが、排出エラーカウント値に基づいて補正を行うことができるので、本実施形態においては、これらの処理は省略した。
【０１５１】
上記排出処理を行った後に再び行われる貸球排出処理においては、貸球中フラグがセットされていることに基づいて、排出カウンタのカウント値が「０」であるか否かの判定を行い、該カウント値が「０」でなければ、第１，第２排出ソレノイド７９ａ，７９ｂをオンさせると共に排出処理を行う。以下、同様の処理を行う間に所定数の遊技球を排出し終わって、排出カウンタのカウント値が「０」になると、貸球排出中フラグをリセットすると共に“貸球終了フラグ”をセットし、第１，第２排出ソレノイド７９ａ，７９ｂをオフにし、貸球終了タイマ（例えば０．５秒）をセットし、球貸制御装置１５へ貸球排出終了信号を送出する。なお、上記したように、２つの遊技球排出機構を備える遊技球排出装置７３を用いる場合には、各遊技球排出機構の停止タイミングを適宜に変更して、奇数個の貸球を排出できるようにしたり、２つの遊技球排出機構を交互に用いて貸球排出動作を行わせるようにしてもよい。
【０１５２】
斯くして、貸球終了フラグがセットされた後に行う貸球排出処理においては、貸球終了タイマがタイムアップしたか否かを判定し、貸球終了タイマがタイムアップすると、貸球終了フラグをリセットし、貸球排出フラグがセットされているか否かを判定し、貸球排出フラグがセットされていなければ、そのまま貸球排出中フラグをリセットして、貸球排出処理を終了する。一方、貸球排出動作を行っている間に球貸制御装置１５より貸球排出要求を受けることに基づいて、貸球排出フラグがセットされていた場合には、再び上記と同様の処理を行うことによって、貸球排出処理を続行するのである。
【０１５３】
次に、賞球排出処理について説明する。なお、この賞球排出処理は、後述する入力処理において“賞球排出フラグがセットされることによって、“賞球排出中フラグ”がセットされることに基づいて行われるものである。
【０１５４】
賞球排出処理においては、先ず“賞球終了フラグ”がセットされているか否かを判定し、該賞球終了フラグがセットされていなければ、“賞球中フラグ”がセットされているか否かを判定し、この賞球中フラグもセットされていなければ、賞球数受信フラグがセットされているか否かを判定し、該賞球数受信フラグがセットされていない場合にのみ電気的制御装置５６へ賞球数要求信号を送信する。次いで、賞球排出動作を行うことが可能な状態であるか否かの排出開始条件確認を行い、排出開始条件が満たされていない排出不可能状態であれば、そのまま当該賞球排出処理を一旦終了する。なお、上記排出開始条件とは、前述した貸球排出処理における条件と略々同様であるが、本賞球排出処理においては、電気的制御装置５６へ賞球数要求信号を送信した後に、該電気的制御装置５６より賞球数を受信しているか否かも判定の対象とする。
【０１５５】
一方、排出開始条件が全て満たされていた場合には、当該排出動作によって排出する排出数を賞球排出総数カウンタのカウント値に加算することで更新し、“賞球中フラグ”をセットし、賞球排出動作を行った回数を計数するための排出動作カウンタのカウント値に「１」加算することで更新し、排出エラーの発生を検出するための排出タイマ（例えば３秒）をセットする。そして、遊技球排出装置７３の第１，第２排出ソレノイド７９ａ，７９ｂをオンさせて遊技球の排出動作を開始させると共に、上記貸球排出処理で説明したと同様の排出処理を行う。なお、当該賞球排出動作において排出する賞球数は、後述する入力処理において電気的制御装置５６より賞球数を受信した際に、排出カウンタにセットされる。
【０１５６】
排出処理を行った後に再び行われる賞球排出処理においては、賞球中フラグがセットされていることに基づいて、排出カウンタのカウント値が「０」であるか否かの判定を行い、該カウント値が「０」でなければ、第１，第２排出ソレノイド７９ａ，７９ｂをオンさせると共に排出処理を行う。以下、同様の処理を行う間に所定数の遊技球を排出し終わって、排出カウンタのカウント値が「０」になると、後述する入力処理で電気的制御装置５６より賞球数を受信した際にセットする“賞球数受信フラグ”をリセットし、賞球排出中フラグをリセットし、“賞球終了フラグ”をセットし、第１，第２排出ソレノイド７９ａ，７９ｂをオフにし、当該賞球排出動作を完了したセーフ球を払い出すためにセーフソレノイド６６をオンさせ、このセーフ球払出に要する時間を計時するためのセーフ払出タイマ（例えば２００ミリ秒）をセットし、更に次回の賞球排出動作を行うまでに設けるウエイトタイムを計時するためのウエイトタイマ（例えば０．５秒）をセットして、賞球排出処理を終了する。
【０１５７】
斯くして、賞球終了フラグがセットされた後に行う賞球排出処理においては、セーフ払出タイマがタイムアップしたか否かの判定を行い、該セーフ払出タイマがタイムアップするとセーフソレノイド６６をオフにし、次いでウエイトタイマがタイムアップしたか否かを判定し、ウエイトタイマがタイムアップすると、賞球排出中フラグおよび賞球終了フラグをリセットして、賞球排出処理を終了するのである。
【０１５８】
すなわち、本実施形態においては、上記のような処理を行う遊技球排出制御装置５８が、「遊技制御手段から受けた賞球信号に基づいて、球排出装置より所定数の球を排出させる賞球排出制御手段」として機能するのである。
【０１５９】
次に、球貯留タンク７１、導出樋７２、遊技球排出装置７３内の球を抜き取って、回収樋等へ排出するための球抜処理について説明する。なお、球抜処理は、後述する入力処理において“球抜フラグ”がセットされることに基づいて“球抜排出中フラグ”がセットされることによって開始される処理である。また、球抜フラグは、球抜排出中フラグがセットされた後、入力処理において再びリセットされる。
【０１６０】
この球抜処理においては、先ず“球抜終了フラグ”、”球抜中フラグ”、“球抜開始フラグ”がセットされているか否かを判定し、何れのフラグもセットされていなければ、球抜ソレノイド９４をオンさせると共に、該球抜ソレノイド９４によって球抜き樋９３に流路が変換されるのに必要十分な時間を計時するための球抜開始タイマ（例えば１秒）をセットし、“球抜開始フラグ”をセットして当該球抜排出処理を一旦終了する。
【０１６１】
上記のようにして球抜開始フラグがセットされた後に行われる球抜排出処理においては、球抜開始タイマがタイムアップしたか否かを判定し、該球抜タイマがタイムアップすると、遊技球排出装置７３の第１，第２排出ソレノイド７９ａ，７９ｂをオンさせると共に、“球抜開始フラグ”をリセットすると共に“球抜中フラグ”をセットし、球抜排出動作の完了を判定するための球抜タイマ（例えば２秒）をセットして、当該球抜排出処理を一旦終了する。
【０１６２】
そして、球抜中フラグがセットされた後に開始される球抜排出処理においては、球抜フラグがセットされているか否かを判定し、該球抜フラグがセットされていた場合には、第１，第２排出ソレノイド７９ａ，７９ｂをオフにし、球抜排出中フラグおよび球抜終了フラグをリセットし、更に球抜終了タイマ（例えば３秒）をセットして、当該球抜排出処理を強制的に終了させる。斯くしたのは、本実施形態における遊技機１には、球抜動作停止機能を別途設けていないので、球抜排出処理の開始後に再び球抜センサ９６をオンさせた場合には球抜動作を停止させることに設定したからであり、球抜動作が完了する前に再び球抜センサ９６がオンすることで給抜フラグがセットされていると、球抜動作のキャンセルと看做して処理するのである。
【０１６３】
一方、球抜フラグがセットされていなければ、遊技球排出装置７３より球が排出されることに基づいて“排出立下りフラグ”がセットされているか否かを判定し、排出立下りフラグがセットされていれば、球抜タイマを更新して、更に所定時間（例えば３秒）の計時を開始する。ここで、“排出立上りフラグ”は遊技球排出装置７３より排出された球の到達を第１，第２排出センサ７８ａ，７８ｂが検出した際に、“排出立下りフラグ”は遊技球排出装置７３より排出された球の通過を第１，第２排出センサ７８ａ，７８ｂが検出した際に、夫々後述する入力処理においてセットされるものであり、前述した貸球排出処理、賞球排出処理においては、排出球を１個宛て検出して計数処理する必要があったことから、排出処理において“排出立上りフラグ”を逐次リセットしていたが、球抜処理においては球抜きした球数を計数する必要はないので、球抜処理の最後にリセットするものとした。なお、“排出立下りフラグ”は、第１，第２排出センサ７８ａ，７８ｂの出力レベルに応じて、入力処理でリセットされる。
【０１６４】
また、球排出装置７３より球が排出されておらず、排出立下りフラグがセットされていなければ、球抜タイマがタイムアップしたか否かを判定し、球抜タイマがタイムアップすると、第１，第２排出ソレノイド７９ａ，７９ｂをオフにし、球抜排出中フラグおよび球抜終了フラグをリセットし、更に球抜終了タイマ（例えば３秒）をセットして、当該球抜排出処理を終了させる。すなわち、遊技球排出装置７３の第１，第２排出センサ７８ａ，７８ｂによって排出球が検出された後に球抜タイマが計時する所定時間が経過すると、球抜動作が完了したものとして、実際の球抜排出動作を終了させるのである。
【０１６５】
上記のようにして球抜終了フラグがセットされた後に行われる球抜排出処理においては、球抜終了タイマがタイムアップしたか否かを判定し、球抜終了タイマがタイムアップすると、球抜ソレノイド９４をオフにし、“球抜終了フラグ”、“球抜排出中フラグ”、“排出立上りフラグ”、“排出立下りフラグ”を夫々リセットして、当該球抜排出処理を終了する。なお、球抜ソレノイド９４をオフにして球抜ゲート９１を復帰させる際に、球抜ゲート９１を数回往復動作させることで、樋壁と球抜ゲート９１との間に球噛みが生ずることのないようにしてもよい。
【０１６６】
また、遊技球排出制御装置５８においては、所定時間（例えば１ミリ秒）毎にタイマ割込処理を行うものとし、このタイマ割込処理においては、各処理で使用する計時タイマの経過時間を更新させると共に、入力処理および情報演算処理を行うものとしてある。
【０１６７】
次に、入力処理を説明する。この入力処理においては、先ず各種検出器のセンサ出力を読み込むと共に、管理装置１００や電気的制御装置５６からの入力指令等を読み込み、これらの検出情報や入力指令等を判定する。
【０１６８】
上記のようにして入力読み込み及び判定を行った結果、補給の必要がある否かを判定し、補給の必要があると判定した場合には、“球不足フラグ”をセットし、補給の必要が無いと判定した場合には、“球不足フラグ”をリセットする。なお、補給の必要についての有無を判定する際には、補給センサ７４がオン状態か否かのみでなく、補給センサ７４がオン状態であっても、管理装置１００よりの打止め指令を受けていたり、球抜排出の動作中であれば、貯留球が不足していても、補給を受ける必要がないので、斯かる諸条件も加味して補給が必要か否かを判定するのである。
【０１６９】
次いで、球抜スイッチが操作されることに基づいて、球抜センサ９６より検出出力を受けていた場合には“球抜フラグ”をセットし、センサ出力を受けていない場合には“球抜フラグ”をリセットする。斯くして、上述した如く、球抜排出処理における球抜動作の開始もしくは球抜動作のキャンセルを行うことができるのである。
【０１７０】
次いで、セーフセンサ６３がセーフ球を検出していたか否かを判定し、セーフ球が検出されていた場合には“賞球排出フラグ”をセットし、セーフ球が検出されていない場合には“賞球排出フラグ”をリセットする。なお、上記実施形態においては、セーフセンサ６３へセーフ球を１個宛て供給するためにセーフソレノイド６６を設け、各セーフ球毎の賞球排出動作が完了する毎にセーフ球を１個宛て排出する構成としたが、流下してくるセーフ球を順次計数記憶させ、セーフ球の検出記憶に基づいて賞球排出処理を行うようにしてもよい。
【０１７１】
次に、遊技球排出装置７３の第１，第２排出センサ７８ａ，７８ｂより入力される検出信号の信号レベルが立ち上がったか（ローレベルからハイレベルに反転したか）否かを判定し、立ち上がっていれば“排出立上りフラグ”をセットすると共に“排出立下りフラグ”をリセットする。また、第１，第２排出センサ７８ａ，７８ｂより入力される検出信号の信号レベルが立ち下がっているか（ハイレベルからローレベルに反転したか）否かを判定し、立ち下がっていれば“排出立下りフラグ”をセットする。なお、遊技球排出装置７３より球排出を行う場合、第１，第２排出センサ７８ａ，７８ｂに排出球が到達した際に検出出力が立ち上がり、排出球が第１，第２排出センサ７８ａ，７８ｂから抜け出した際に検出出力が立ち下がるので、排出立上りフラグと排出立下りフラグとは交互にセット・リセットされることとなるが、排出立上りフラグは上記した貸球排出処理もしくは賞球排出処理においてリセットされる。なお、球抜処理においては、当該処理の最後にリセットされる。
【０１７２】
次に、カード制御手段たる球貸制御装置１５と送受信可能な接続状態であるか否かを確認（接続状態を監視）し、接続状態であれば、“発射停止フラグ１”をリセットして、球貸制御装置１５からの信号を読み込み、当該指令信号の指令内容を判定し、球貸要求についての指令（球貸信号）でなければ、“貸球排出フラグ”をリセットする。一方、球貸制御装置１５よりの指令が球貸要求であれば、“貸球排出フラグ”をセットし、該貸球排出フラグに基づいて“貸球排出中フラグ”がセットされることで、上記した貸球排出処理が実行されるのである。また、球貸制御装置１５と非接続であると判定した場合には、“発射停止フラグ１”をセットすることで、上記発射停止処理において、打球発射装置の動作を停止させるのである。
【０１７３】
すなわち、本実施形態においては、上記のような処理を行う遊技球排出制御装置５８は、「カード制御手段から受けた球貸信号に基づいて、球排出装置より所定数の球を排出させる貸球排出制御手段」と、「カード制御手段と球排出制御手段が送受信可能な状態で接続されているか否かを監視する接続監視手段」と、「接続監視手段によりカード制御手段と球排出制御手段とが送受信可能な状態で接続されていないと判定されたことに基づいて、発射装置を発射不能状態にする発射停止手段」としての機能を備えるのである。
【０１７４】
次に、電気的制御装置５６からのデータを受信し、賞球数データを受信していれば、“賞球数受信フラグ”をセットし、該当賞球数カウンタのカウント値に「１」加算することで更新し、電気的制御装置５６より受信した排出賞球数を排出カウンタにセットする。斯くすることによって、上記した賞球排出処理において、受信した賞球数分の遊技球を排出するように遊技球排出制御装置を制御するのである。なお、該当賞球数カウンタは、各排出賞球数に応じた種別（本実施形態においては、「５個」、「１０個」、「１５個」の３種類）毎に予め設けてあるカウンタであり、各種別の賞球排出がどの程度行われているかを管理するための管理情報である。
【０１７５】
次に、管理装置１００からの制御指令を受信し、この受信指令中に発射停止指令が含まれていれば、“発射停止フラグ２”をセットすることで、上記した発射停止処理において当該遊技機１の打球発射装置の駆動源を動作不能状態とし、発射停止指令がなければ“発射停止フラグ２”をリセットする。また、排出情報要求指令があった場合には、“排出情報送信フラグ”をセットすることで、上記した排出情報送信処理が行われるようにする。
【０１７６】
次に、アウトセンサ７０がアウト球を検出したか否か、発射センサ９６が発射球を検出したか否か、ファールセンサ５４がファール球を検出したか否かを夫々判定し、アウト球が検出されていた場合には、アウト球数を計数記憶するためのアウト球カウンタのカウント値に「１」加算することで更新し、発射球が検出されていた場合には、発射球数を計数記憶するための発射球カウンタのカウント値に「１」加算することで更新し、ファール球が検出されていた場合には、ファール球数を計数記憶するためのファール球カウンタのカウント値に「１」加算することで更新し、当該入力処理を終了する。
【０１７７】
また、割込処理において行われる情報演算処理においては、上記入力処理において更新された管理情報に基づいて、「割数：賞球排出カウント値÷（アウトカウント値＋セーフカウント値）」、「稼働率：発射カウント値×発射間隔時間÷電源投入時からの経過時間」、「ファール率：ファールカウント値÷発射カウント値」、「排出エラー率：エラーカウント値÷排出カウント値」を夫々演算する。
【０１７８】
次に、本発明に係る遊技機１より管理情報を収集する管理装置１００の管理情報収集に関連した制御について説明する。
【０１７９】
管理装置１００は、先ず管理情報を収集する遊技台（遊技店内に設置されている遊技機１…）を指定し、この指定した遊技機１の電気的制御装置５６へ遊技情報要求指令を送信し、当該指定した遊技機１より所定の遊技情報を受信したか否かを判定し、遊技情報の収集が完了していなければ、当該遊技機１よりの遊技情報収集を継続する。そして、遊技情報の受信が完了すると、受信した遊技情報についての記憶を更新する。
【０１８０】
次いで、指定した遊技機１の遊技球排出制御装置５８へ排出情報要求指令を送信し、当該指定した遊技機１より所定の排出情報を受信したか否かを判定し、排出情報の収集が完了していなければ、当該遊技機１よりの排出情報収集を継続する。そして、排出情報の受信が完了すると、受信した排出情報についての記憶を更新し、当該遊技機１への各種管理制御を行う。なお、管理装置１００が遊技機１に対して行う管理制御とは、例えば、「打止め」の指定や解除、不正による遊技不能状態の解除等である。
【０１８１】
上記のようにして、指定遊技台に対する管理情報の要求・収集および管理制御が完了すると、新たな遊技台を指定して、再び上記と同様の制御を行う。なお、遊技機１…の指定は任意抽出的に行ってもかまわないが、例えば各遊技機１…に管理上のシリアルナンバーを設定しておき、情報収集の完了した遊技機ナンバーに「１」を加算することで、次に管理情報を収集する遊技台の指定を更新するようにしてもよい。
【０１８２】
また、本実施形態においては、一定時間（例えば１秒）毎に行われる割込処理において、遊技機１に対する管理制御の設定等を行うものとしてある。この割込処理においては、先ず遊技機１を指定し、当該遊技機１について収集した管理情報から、打止め中であるか否かを判定し、打止め中でなければ次いで補給要求が為されているか否かを判定し、補給要求が為されていれば次いで所定数の補給を既に行ったか否かを判定する。この所定数とは、球貯留タンク７１へ補給した球の実数ではなく、遊技者が獲得した賞球数に関連させて設定した所定数（例えば、「所定数」＝「補給数」−「回収数」＝４０００個）である。そして、当該遊技機１より補給要求が為されていても、当該遊技機１において特別遊技が発生していなけれ（大当り中でなけれ）ば、所定数の補給を既に行ったものとして打止め判定を下し、追加補給を行わない。一方、所定数の補給を行った後であっても、当該遊技機１で特別遊技が発生していれば、遊技機１からの補給要求に対して追加補給を行い（当該遊技機１への補給指令を行い）、特別遊技が終了した後に打止め判定を下すのである。
【０１８３】
上記した一連の処理を行った後には、当該遊技店の遊技機１…全てについての管理制御を終了したか否かの確認を行い、未だ全台についての確認を行っていない場合には、遊技機１の指定を更新して、再び同様の処理を行う。また、全台に対しての管理制御が完了した場合には、一旦割込処理を終了させ、所定時間後にまた同様の処理を行うのである。斯くすることによって、遊技店に設置した管理装置１００が、全遊技機１…より収集した管理情報に基づいて、各遊技機１…の遊技状態に応じた制御指令を行うことができるのである。また、本実施形態のフローチャートにおいては省略したが、上記図９のブロック構成図において説明したように、各遊技機１…より一定時間毎に収集する管理情報を管理装置１００が指定し、指定外管理情報の収集タイミングを指定管理情報と異ならしめて収集するようにしてもよい。
【０１８４】
【発明の効果】
以上説明したように、請求項１に係る遊技機によれば、遊技機本体の球排出制御手段にカードユニットのカード制御手段より球貸信号が入力されると、この球貸信号に基づいて貸球排出制御手段が球排出装置から所定数の球を排出させるので、カードユニットと遊技機本体とが協働して初めて遊技機本体の球貸動作が可能となり、カードに記憶された有価データを所定数の球に変換する変換要求を行うと、遊技機本体の球排出装置から供給皿に貸球が排出される。これにより、カードを使って遊技者が借り受けた貸球を遊技機本体の供給皿に移す手間が省けるので、遊技者の便に供し得る遊技機となる。
【０１８５】
また、カードユニットのカード制御手段と遊技機本体の球排出制御手段とが送受信可能な状態で接続されているか否かを接続監視手段により監視し、カード制御手段と球排出制御手段とが送受信可能な状態で接続されていない場合、すなわち、球貸動作を実行するための必要条件が満たされていない場合には、発射停止手段によって発射装置が発射不能状態にされ、当該遊技機で遊技を行うことができなくなる。
【０１８６】
したがって、球貸カードシステムを導入せずに、カードユニットを接続していない遊技機本体のみを比較的射幸性の高い遊技を行える遊技機として利用しようとしても、球排出制御手段の接続監視手段によりカード制御手段と球排出制御手段とが送受信可能な状態で接続されていないと判定され、この結果に基づいて発射停止手段が発射装置を発射不能状態とすることから、カードユニットと接続していない遊技機本体のみを射幸性の高い遊技機として利用することは実質上不可能となる。
【０１８７】
更に、請求項１に係る遊技機においては、各入賞口毎に設けた検出器からの入賞信号を受けた遊技制御手段が、夫々の入賞口に対応した賞球数に関する賞球信号を球排出制御手段へ送出すると、この賞球信号に基づいて球排出制御手段の賞球排出制御手段が球排出装置から所定数の球を排出させるので、各入賞口毎に設けた検出器が検出信号を送信しなければ、賞球排出動作は行われなくなり、旧来の遊技機の如く、集められた全ての入賞球を１個宛検出する入賞球センサのみを誤動作させるような不正行為を防止できる。しかも、入賞口毎の入賞は全て遊技制御手段によって把握されるので、例えば、特定周波数の電波によってある部位の入賞口に設けた検出器を誤作動させるような不正が行われた場合、一つの入賞口のみ連続して入賞球が発生するという通常では起こり得ない状態として把握できることから、そのような不正行為の検出も容易となり、遊技店の損失を抑止できる。
【０１８８】
したがって、請求項１に係る遊技機は、正規の球貸カードシステムを導入することで初めて比較的射幸性の高い遊技内容の遊技機として正常に機能し、しかも、従来の遊技機で問題であった入賞球センサを誤動作させる不正行為を防止できるので、遊技店側の導入費用やランニングコストに見合うだけの利潤向上を図ることができ、カード式遊技機の普及に寄与できるものとなる。
【図面の簡単な説明】
【図１】本発明に係る遊技機の正面図である。
【図２】遊技盤の裏面図である。
【図３】遊技機の裏面図である。
【図４】内部機構の概略を可視状態とした遊技機本体の裏面図である。
【図５】本発明に係る遊技機と管理装置と球貸管理装置との接続を示す概略ブロック図である。
【図６】遊技制御装置の入出力に関連したＩ／Ｏブロック図である。
【図７】遊技球排出制御装置の入出力に関連したＩ／Ｏブロック図である。
【図８】球貸制御装置の入出力に関連したＩ／Ｏブロック図である。
【図９】管理情報の出力制御に関連した機能の概略を示す遊技機と管理装置とのブロック構成図である。
【図１０】電気的制御装置の管理情報収集・出力に関連した制御のゼネラルフローチャートである。
【図１１】電気的制御装置の入力処理の第１フローチャートである。
【図１２】電気的制御装置の入力処理の第２フローチャートである。
【図１３】電気的制御装置の入力処理の第３フローチャートである。
【図１４】電気的制御装置の入力処理の第４フローチャートである。
【図１５】特図始動処理を示すフローチャートである。
【図１６】普図始動処理を示すフローチャートである。
【図１７】普図処理の前段を示すフローチャートである。
【図１８】普図処理の後段を示すフローチャートである。
【図１９】特図処理の第１フローチャートである。
【図２０】特図処理の第２フローチャートである。
【図２１】特図処理の第３フローチャートである。
【図２２】特図処理の第４フローチャートである。
【図２３】賞球数送信処理を示すフローチャートである。
【図２４】遊技情報送信処理を示すフローチャートである。
【図２５】情報演算処理の前段を示すフローチャートである。
【図２６】情報演算処理の後段を示すフローチャートである。
【図２７】遊技球排出制御装置の管理情報収集・出力に関連した制御のゼネラルフローチャートである。
【図２８】発射制御処理を示すフローチャートである。
【図２９】排出情報送信処理を示すフローチャートである。
【図３０】補給要求処理を示すフローチャートである。
【図３１】貸球排出処理の前段を示すフローチャートである。
【図３２】貸球排出処理の後段を示すフローチャートである。
【図３３】排出処理を示すフローチャートである。
【図３４】賞球排出処理の前段を示すフローチャートである。
【図３５】賞球排出処理の後段を示すフローチャートである。
【図３６】球抜排出処理の前段を示すフローチャートである。
【図３７】球抜排出処理の後段を示すフローチャートである。
【図３８】遊技球排出制御装置のタイマ割込処理を示すフローチャートである。
【図３９】遊技球排出制御装置の入力処理の前段を示すフローチャートである。
【図４０】遊技球排出制御装置の入力処理の中段を示すフローチャートである。
【図４１】遊技球排出制御装置の入力処理の後段を示すフローチャートである。
【図４２】遊技球排出制御装置の情報演算処理である。
【図４３】管理装置の管理情報要求に関連する制御のゼネラルフローチャートである。
【図４４】管理装置の割込処理である。
【符号の説明】
１  遊技機
２  遊技機本体
３  カードユニット
９  遊技部
１０  遊技盤
１１ａ  第１一般入賞口
１１ｂ  第２一般入賞口
１１ｃ  第３一般入賞口
１１ｄ  第４一般入賞口
１５  球貸制御装置
１６  球供給皿
２０  カード挿排口
３２  特別図柄表示装置
３３  変動入賞装置
３３ａ  大入賞口
３４  補助変動入賞装置
３５  普通図柄表示装置
３８ａ  第１特図始動口
３８ｂ  第２特図始動口
３８ｃ  第３特図始動口
４１  第１特図始動入賞球検出器
４２  第２特図始動入賞球検出器
４３  第３特図始動入賞球検出器
４８  第１一般入賞球検出器
４９  第２一般入賞球検出器
５０  第３一般入賞球検出器
５１  第４一般入賞球検出器
７３  遊技球排出装置
１０１  遊技制御装置
【図１】
0003547664.tif 000002
【図２】
0003547664.tif 000003
【図３】
0003547664.tif 000004
【図４】
0003547664.tif 000005
【図５】
0003547664.tif 000006
【図６】
0003547664.tif 000007
【図７】
0003547664.tif 000008
【図８】
0003547664.tif 000009
【図９】
0003547664.tif 000010
【図１０】
0003547664.tif 000011
【図１１】
0003547664.tif 000012
【図１２】
0003547664.tif 000013
【図１３】
0003547664.tif 000014
【図１４】
0003547664.tif 000015
【図１５】
0003547664.tif 000016
【図１６】
0003547664.tif 000017
【図１７】
0003547664.tif 000018
【図１８】
0003547664.tif 000019
【図１９】
0003547664.tif 000020
【図２０】
0003547664.tif 000021
【図２１】
0003547664.tif 000022
【図２２】
0003547664.tif 000023
【図２３】
0003547664.tif 000024
【図２４】
0003547664.tif 000025
【図２５】
0003547664.tif 000026
【図２６】
0003547664.tif 000027
【図２７】
0003547664.tif 000028
【図２８】
0003547664.tif 000029
【図２９】
0003547664.tif 000030
【図３０】
0003547664.tif 000031
【図３１】
0003547664.tif 000032
【図３２】
0003547664.tif 000033
【図３３】
0003547664.tif 000034
【図３４】
0003547664.tif 000035
【図３５】
0003547664.tif 000036
【図３６】
0003547664.tif 000037
【図３７】
0003547664.tif 000038
【図３８】
0003547664.tif 000039
【図３９】
0003547664.tif 000040
【図４０】
0003547664.tif 000041
【図４１】
0003547664.tif 000042
【図４２】
0003547664.tif 000043
【図４３】
0003547664.tif 000044
【図４４】
0003547664.tif 000045